(57)【要約】      （修正有）【課題】不特定多数の利用者が利用するような空間、場所、または目的地における、情報漏洩の対策、プライバシーの保護、または移動経路の明確化が可能な表示装置を提供する。【解決手段】所定の利用物の近傍に配置される表示装置１００であって、表示装置１００は、ドアまたは門を利用する者が、自分が所定の利用物の利用を許可されていることを認識可能な第１の画像の画像データを受信する通信部２００と、第１の画像の画像データを格納する記憶部４００と、第１の画像を表示する表示パネル部５００と、センサ部６００と、を有し、センサ部６００によってドアまたは門を利用する者が検知されたとき、または、登録された時間帯のとき、第１の画像が表示パネル部５００に表示される。【選択図】図１
2020091541.tif 000002
【特許請求の範囲】
【請求項１】
第１の画像の画像データを格納する記憶部と、
前記第１の画像を表示する表示パネル部と、
を有する表示装置であって、
前記第１の画像は、
利用者には、自分が所定の利用物の利用を許可されていることが認識可能であり、
かつ前記利用者以外の者には、前記利用者が前記所定の利用物の利用を許可されていることが認識可能ではない、画像であり、
前記表示パネル部は、前記利用者が記所定の利用物の利用を許可されている時間に、前記第１の画像を表示する、表示装置。
【請求項２】
前記表示装置は、前記第１の画像の画像データを受信する通信部を有し、
前記通信部は、データを受信できる領域に前記利用者が位置している時に、前記画像データを受信する、請求項１に記載の表示装置。
【請求項３】
第１の画像を表示可能な表示装置を備え、
前記第１の画像は、
利用者には、自分が所定の利用物の利用を許可されていることが認識可能であり、
かつ前記利用者以外の者には、前記利用者が前記所定の利用物の利用を許可されていることが認識可能ではない、画像であり、
前記利用者が前記表示装置を視認可能な領域に位置し、かつ前記利用者が記所定の利用物の利用を許可されている時間に、前記第１の画像を前記表示装置に表示する、表示システム。
【請求項４】
所定の利用物の近傍に配置される表示装置であって、
前記表示装置は、
前記所定の利用物を利用する者が、自分が前記所定の利用物の利用を許可されていることを認識可能な第１の画像の画像データを受信する通信部と、
前記第１の画像の画像データを格納する記憶部と、
前記第１の画像を表示する表示パネル部と、
を有する表示装置。
【請求項５】
前記所定の利用物は、ドアまたは門を備え、
前記表示装置は、ドアまたは門の近傍に配置される、
請求項４に記載の表示装置。
【請求項６】
前記表示装置は、センサ部を有し、
前記センサ部によって前記ドアまたは前記門を利用する者が検知されたとき、または、登録された時間帯のとき、前記第１の画像が前記表示パネル部に表示される、
請求項５に記載の表示装置。
【請求項７】
前記第１の画像の画像データは、電子機器からサーバーに送信されたのち、前記サーバーから前記通信部に送信される、
請求項４に記載の表示装置。
【請求項８】
前記第１の画像の画像データは、電子機器から前記通信部に送信される、
請求項４に記載の表示装置。
【請求項９】
前記記憶部は、前記第１の画像とは異なる第２の画像の画像データを格納し、
前記表示パネル部は、前記検知されたとき以外、または、前記登録された時間帯のとき以外に、前記第２の画像を表示する、
請求項６に記載の表示装置。
【請求項１０】
前記表示パネル部は、前記検知されたとき以外、または、前記登録された時間帯のとき以外に、画像を表示しない、
請求項６に記載の表示装置。
【請求項１１】
第１のドアまたは第１の門の近傍に配置される第１の表示装置と、第２のドアまたは第２の門の近傍に配置される第２の表示装置と、を備え、
前記第１の表示装置は、前記第２のドアまたは前記第２の門への経路を案内する第１の画像の画像データを受信する第１の通信部と、前記第１の画像の画像データを格納する第１の記憶部と、前記第１の画像を表示する第１の表示パネル部と、を有し、
前記第２の表示装置は、前記第２のドアまたは前記第２の門を認識可能な第２の画像の画像データを受信する第２の通信部と、前記第２の画像の画像データを格納する第２の記憶部と、前記第２の画像を表示する第２の表示パネル部と、を有する、
表示システム。
【請求項１２】
前記表示システムは、第１の電子機器を備え、
前記第１の電子機器と前記第１の表示装置とが通信することによって、前記第１の表示装置が前記第１の画像を表示することと、
前記第１の表示装置が前記第１の画像を表示することによって、前記第２の表示装置が前記第２の画像を表示することとは連動する、
請求項１１に記載の表示システム。
【請求項１３】
前記表示システムは、サーバーを備え、
前記第１の画像の画像データは、前記サーバーから前記第１の通信部に送信され、
前記第２の画像の画像データは、前記サーバーから前記第２の通信部に送信される、
請求項１２に記載の表示システム。
【請求項１４】
前記第２の画像の画像データは、前記第１の電子機器とは異なる第２の電子機器からサーバーに送信されたのち、前記サーバーから前記第２の通信部に送信される、
請求項１２に記載の表示システム。
【請求項１５】
前記第２の画像は、前記第１の電子機器を所持する者が認識することが可能な画像である、
請求項１２に記載の表示システム。
【請求項１６】
前記第２の画像は、前記第２の電子機器を所持する者が認識することが可能な画像である、
請求項１４に記載の表示システム。
【請求項１７】
ドアまたは門の近傍に配置される表示装置であって、
前記表示装置は、
第１の電子機器またはサーバーと通信する通信部と、
トリガー信号に関連付けられた場所への経路を案内する画像の画像データを格納する記憶部と、
前記トリガー信号に基づき前記画像を表示する表示パネル部と、
を有する表示装置。
【請求項１８】
災害を検知することに基づき、前記第１の電子機器と通信することによって前記トリガー信号を生成し、避難経路を示す画像を表示する、
請求項１７に記載の表示装置。
【請求項１９】
前記第１の電子機器は、電子タグまたは情報通信端末である、
請求項１７に記載の表示装置。
【請求項２０】
災害を検知することに基づき、前記サーバーによって生成された前記トリガー信号を受信し、避難経路を示す画像を表示する、
請求項１７に記載の表示装置。
【発明の詳細な説明】
【技術分野】
【０００１】
本発明は、表示装置及び表示システムに関する。
【背景技術】
【０００２】
所定の時間帯または所定の日によって、利用を許諾された不特定多数の利用者が利用するような空間、場所、または目的地において、情報漏洩の対策、プライバシーの保護の重要性が高まっている。また、前記空間、場所、または目的地において、例えば、緊急時の避難経路の表示のような、移動経路の明確化の重要性が高まっている。ここで、前記空間、場所、または目的地は、ホテル、シェアオフィス、レンタルオフィス、民泊、コテージ、介護施設、病院などである。例えば、シェアオフィスには多数の部屋があり、各部屋のドアの近傍には部屋番号、表札、インターフォンなどのような各部屋を特定することが可能な装置が設けられている。また、民泊、コテージは、各々が一戸建てになっている建物もあり、各々の建物のドア、門、または門柱などのような出入り口近傍には、表札、インターフォン、住居表示板などのような各々の建物を特定することが可能な装置が設けられている。そして、情報漏洩の対策、プライバシーの保護に対して、表示装置または無線装置などを備えた表札が提案されている。
【０００３】
特許文献１には、平常時は表札として氏名を表示し、緊急異常時は異常事態を知らせる特定メッセージを表示する電子表札が開示されている。前記電子表札は、平常時と緊急異常時とで、表札の表示を切り替えることによって、緊急事態の発生及びその発生場所を明瞭に報知し、犯罪等を未然に防止することができる。
【０００４】
また、特許文献２には、表示機能、インターフォン機能及び通信機能を有する通信端末を利用し、インターフォン機能によって表札名（氏名）の公開範囲を最小限に留める技術が開示されている。表札名の公開範囲を最小限に留めることによって、危険性または悪意ある訪問者によるインターフォン操作を防止することができる。
【先行技術文献】
【特許文献】
【０００５】
【特許文献１】特開２００６−２２７８６８号公報
【特許文献２】特開２０１７−２０８７５１号公報
【発明の概要】
【発明が解決しようとする課題】
【０００６】
特許文献１に記載の電子表札は、通常は氏名を表示しているため、電子表札によって、情報漏洩の対策、または、プライバシーを保護することは困難である。また、特許文献１に記載の電子表札は、緊急時は表示を切り替えることによって特定のメッセージを表示するが、メッセージの表示だけでは、移動経路を特定することは困難である。また、特許文献２に記載の技術は、インターフォン機能によって表札名（氏名）の公開範囲を最小限に留めることはできるが、情報漏洩の対策、または、プライバシーの保護に対しては不十分である。また、移動経路を特定することは困難である。
【０００７】
よって、本発明の課題の一つは、不特定多数の利用者が利用するような空間、場所、または目的地における、情報漏洩の対策、プライバシーの保護、または移動経路の明確化にある。
【課題を解決するための手段】
【０００８】
所定の利用物の近傍に配置される表示装置であって、表示装置は、ドアまたは門を利用する者が、自分が所定の利用物の利用を許可されていることを認識可能な第１の画像の画像データを受信する通信部と、第１の画像の画像データを格納する記憶部と、第１の画像を表示する表示パネル部と、を有する。
【０００９】
表示システムであって、第１のドアまたは第１の門の近傍に配置される第１の表示装置と、第２のドアまたは第２の門の近傍に配置される第２の表示装置と、を備え、第１の表示装置は、第２のドアまたは第２の門への経路を案内する第１の画像の画像データを受信する第１の通信部と、第１の画像の画像データを格納する第１の記憶部と、第１の画像を表示する第１の表示パネル部と、を有し、第２の表示装置は、第２のドアまたは第２の門を認識可能な第２の画像の画像データを受信する第２の通信部と、第２の画像の画像データを格納する第２の記憶部と、第２の画像を表示する第２の表示パネル部と、を有する。
【００１０】
ドアまたは門の近傍に配置される表示装置であって、表示装置は、トリガー信号に関連付けられた場所への経路を案内する画像の画像データを受信する通信部と、画像の画像データを格納する記憶部と、画像を表示する表示パネル部と、を有する。
【図面の簡単な説明】
【００１１】
【図１】第１実施形態に係る表示システム及び表示装置の構成を示す図である。
【図２】第１実施形態に係る表示装置の配置の例を示す図である。
【図３】第１実施形態に係る表示装置に表示される画像の例を示す図である。
【図４】第１実施形態に係る表示装置の駆動を説明するためのフローチャートを示す図である。
【図５】第１実施形態に係る表示装置の駆動を説明するためのフローチャートを示す図である。
【図６】第２実施形態に係る表示システムの構成を示す図である。
【図７】第２実施形態に係る表示システムの駆動を説明するための図である。
【図８】第２実施形態に係る表示システムの駆動を説明するための図である。
【図９】第２実施形態に係る表示システムの駆動を説明するためのフローチャートを示す図である。
【図１０】第３実施形態に係る表示システムの駆動を説明するための表示装置の例を示す図である。
【図１１】第３実施形態に係る表示システムの駆動を説明するための図である。
【図１２】第３実施形態に係る表示システムの駆動を説明するための図である。
【図１３】第３実施形態に係る表示システムの駆動を説明するためのフローチャートを示す図である。
【図１４】第４実施形態に係る表示システムの駆動を説明するための図である。
【図１５】第４実施形態に係る表示システムの駆動を説明するための図である。
【図１６】第４実施形態に係る表示システムの駆動を説明するための図である。
【図１７】第４実施形態に係る表示システムの駆動を説明するための図である。
【図１８】第４実施形態に係る表示システムの駆動を説明するための図である。
【図１９】第４実施形態に係る表示システムの駆動を説明するための図である。
【図２０】第４実施形態に係る表示システムの駆動を説明するためのフローチャートを示す図である。
【発明を実施するための形態】
【００１２】
以下、本発明の実施形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の構成等について模式的に表される場合があるが、あくまで一例であって、本発明の解釈を限定するものではない。さらに、本明細書と各図において、既出の図に関して前述したものと同様の要素には、同一の符号（または数字の後にａ、ｂなどを付した符号）を付して、詳細な説明を適宜省略することがある。なお、各要素に対する「第１」、「第２」と付記された文字は、各要素を区別するために用いられる便宜的な標識であり、特段の説明がない限りそれ以上の意味を有さない。
【００１３】
１．発明の背景
発明者は、表示装置を、例えば、電子表札として用いることによって、表示装置を利用する利用者に関する情報の漏洩に対する対策、または、表示装置を利用する利用者のプライバシーを保護することを検討している。
【００１４】
本発明の実施形態に係る表示装置は少なくとも通信部、記憶部及び表示パネル部を備え、ドアまたは門に配置されている。利用者がドアまたは門を利用しない時間帯において、表示パネル部は、部屋番号、住居表示のように、場所または目的地などを示す画像を表示する。場所または目的地などを示す画像は、その画像のみではドアまたは門を利用する利用者を直接特定できないような画像であってもよい。一方、利用者がドアまたは門を利用する時間帯において、表示パネル部は、例えば、風景、イラスト、記号のように、ドアまたは門を利用する者が認識可能な画像を表示する。部屋番号を示す画像の画像データ、ドアまたは門を利用する者が認識可能な画像の画像データ、利用者がドアまたは門を利用する時間帯のデータ及び利用者がドアまたは門を利用しない時間帯のデータは、例えば、記憶部に格納されている。
【００１５】
本明細書等において、ドアまたは門を利用する者は、一個人であってもよいし、複数であってもよいし、家族またはグループであってもよい。例えば、ホテルの部屋を家族で利用する場合、家族がドアまたは門を利用する者であり、家族のうちの一個人もドアまたは門を利用する者である。また、本明細書等において、ドアまたは門を利用する者が認識可能な画像とは、ドアまたは門を利用する者だけが、認識、識別、判別、判断または確認することが可能な画像である。また、本明細書等において、ドアまたは門を利用する者が認識可能な画像とは、ドアまたは門を利用する者と紐付けされ、ドアまたは門を利用する者が認識可能な画像からドアまたは門を利用する者を特定できてもよい。また、本明細書等において、ドアまたは門を利用する者が認識可能な画像は、利用者によって認識される画像と記載されることがある。また、本明細書等において、利用者がドアまたは門を利用しない時間帯においては、表示パネル部は、白単色の画像または黒単色の画像を表示してもよいし、画像を表示しなくてもよい。
【００１６】
利用者がドアまたは門を利用する時間帯において、表示パネルが利用者によって認識される画像を表示することによって、利用者に関する情報の漏洩が抑制され、利用者のプライバシーを保護することが可能であることを、発明者は見出した。
【００１７】
また、本発明の実施形態に係る表示装置は、利用者が有する電子機器と通信が可能である。本発明の実施形態に係る表示装置と利用者が有する電子機器とが通信可能であることによって、利用者がドアまたは門を利用する時間帯において、表示パネルは利用者によって認識される画像を表示することができる。また、利用者がドアまたは門を利用する時間帯において、前記表示装置は、前記表示装置が配置されたドアまたは門までの経路案内を、利用者が有する電子機器に送信してもよい。したがって、利用者がドアまたは門を利用する時間帯において、本発明の実施形態に係る表示装置は、利用者によって認識される画像を表示することができるため、利用者に関する情報の漏洩が抑制され、利用者のプライバシーを保護することが可能であることを、発明者は見出した。
【００１８】
２．第１実施形態
第１実施形態では、表示システム１０及び表示装置１００の構成、表示装置１００の配置の例、表示装置１００に表示される画像の例、及び、表示システム１０及び表示装置１００の駆動の例を説明する。
【００１９】
２−１．表示システム１０及び表示装置１００の構成
図１は、第１実施形態に係る表示システム１０及び表示装置１００の構成を示す図である。
【００２０】
図１に示すように、表示システム１０は、少なくとも、第１の電子機器２０、第２の電子機器３０、サーバー６０、外部電源７０及び表示装置１００から構成される。第１の電子機器２０、第２の電子機器３０、サーバー６０、外部電源７０及び表示装置１００は、ネットワーク（図示は省略）を介して接続されている。
【００２１】
第１の電子機器２０は、利用者によって持ち運びが可能な電子機器である。第１の電子機器２０は、通信部（図示は省略）を備え、表示装置１００と無線ネットワークを介した双方向通信を行うことができる。詳細は後述するが、第１の電子機器２０は、表示装置１００との双方向通信によって、場所、目的地または移動経路を表示装置１００に問い合わせることができる。また、第１の電子機器２０は、表示装置１００との双方向通信によって、場所、目的地または移動経路を表示装置１００から案内されることができる。例えば、第１の電子機器２０が、第１の電子機器の固有の識別情報を表示装置１００に送信することによって、第１の電子機器２０と表示装置１００との通信が開始されてもよい。第１の電子機器２０は、例えば、カギ、ルームキー、カードキー、または電子タグなどである。
【００２２】
第２の電子機器３０は、利用者によって持ち運びが可能な電子機器である。第２の電子機器３０は、通信部（図示は省略）を備え、表示装置１００またはサーバー６０と無線ネットワークを介した双方向通信を行うことができる。詳細は後述するが、第２の電子機器３０は、利用者によって認識される画像の画像データまたは利用者がドアまたは門を利用する時間帯のデータを表示装置１００に送信することができる。また、第２の電子機器３０は、表示装置１００からの問い合わせ、命令、案内、またはデータを受信することができる。また、第２の電子機器３０は、利用者によって認識される画像の画像データまたは利用者がドアまたは門を利用する時間帯のデータをサーバー６０に送信することができる。なお、第２の電子機器３０は、サーバー６０からの問い合わせ、命令、案内、またはデータを受信してもよい。第２の電子機器３０は、例えば、スマートフォン、携帯電話、タブレット端末などに代表される携帯情報端末である。利用者によって認識される画像の画像データは、例えば、風景、イラスト、記号、スタンプなどの静止画であってもよいし、アニメーションなどの動画であってもよい。
【００２３】
サーバー６０は、部屋番号などのように場所または目的地を示す画像の画像データ、利用者によって認識される画像の画像データ、利用者が利用する施設の地図の画像データ、利用者がドアまたは門を利用する時間帯のデータ、利用者がドアまたは門を利用しない時間帯のデータ、後述する駆動方法をコンピュータに実行させるためのプログラムなどを提供するコンピュータ装置または複数のコンピュータ装置によって構成される。なお、コンピュータ装置には、中央演算処理装置、記憶装置、インターフェイスなどが含まれる。
【００２４】
また、サーバー６０は、通信部（図示は省略）を備え、第２の電子機器３０または表示装置１００と無線ネットワークを介した双方向通信を行うことができる。詳細は後述するが、サーバー６０は、部屋番号などのように場所または目的地を示す画像の画像データ、利用者によって認識される画像の画像データ、利用者が利用する施設の地図の画像データ、利用者がドアまたは門を利用する時間帯のデータ、利用者がドアまたは門を利用しない時間帯のデータ、または、利用者によって認識される画像の画像データなどを、第２の電子機器３０から受信することができる。また、サーバー６０は、部屋番号などのように場所または目的地を示す画像の画像データ、利用者によって認識される画像の画像データ、利用者が利用する施設の地図の画像データ、利用者がドアまたは門を利用する時間帯のデータ、利用者がドアまたは門を利用しない時間帯のデータ、または、利用者によって認識される画像の画像データを、表示装置１００に送信することができる。また、サーバー６０は、表示装置１００から、問い合わせ、命令、案内またはデータを受信することができる。
【００２５】
なお、サーバー６０は、問い合わせ、命令、案内またはデータを、第２の電子機器３０に送信することができる。また、サーバー６０と表示装置１００とは電気的に接続され、有線ネットワークを介して双方向のデータ転送を行ってもよい。サーバー６０と表示装置１００とが有線ネットワークを介して双方向のデータ転送を行う場合は、サーバー６０と表示装置１００とが無線ネットワークを介して双方向通信を行う場合と比較して、通信または電波の状態に依存することなくサーバー６０と表示装置１００との間のデータ転送を確実に行うことができる。
【００２６】
また、本明細書等において、利用者が、利用者が所持する第２の電子機器３０を用いて、利用者によって認識される画像の画像データまたは利用者がドアまたは門を利用する時間帯のデータを表示装置１００に送信してもよい。利用者が、利用者によって認識される画像の画像データまたは利用者がドアまたは門を利用する時間帯のデータを、表示装置１００に送信することによって、利用者によって認識される画像の画像データまたは利用者がドアまたは門を利用する時間帯のデータは、表示装置１００に登録される。よって、利用者がドアまたは門を利用する時間帯は、利用者によって登録された時間帯である。また、利用者がドアまたは門を利用しない時間帯は、利用者によって登録された時間帯のとき以外の時間帯である。
【００２７】
また、本明細書等において、利用者が、利用者が所持する第２の電子機器３０を用いて、利用者によって認識される画像の画像データまたは利用者がドアまたは門を利用する時間帯のデータをサーバー６０に送信してもよい。利用者が、利用者によって認識される画像の画像データまたは利用者がドアまたは門を利用する時間帯のデータを、サーバー６０に送信することによって、利用者によって認識される画像の画像データまたは利用者がドアまたは門を利用する時間帯のデータは、サーバー６０に登録される。よって、利用者がドアまたは門を利用する時間帯は、利用者によって登録された時間帯である。また、利用者がドアまたは門を利用しない時間帯は、利用者によって登録された時間帯のとき以外の時間帯である。
【００２８】
また、本明細書等において説明される画像データ、時間帯のデータ、地図、またはプログラムなどは、本発明の一実施形態を説明するための一例である。画像データ、時間帯のデータ、地図、またはプログラムなどは、本明細書等において説明され例に限定されず、表示システム１０及び表示装置１００を利用する場所または目的などによって、適宜選択されればよい。
【００２９】
外部電源７０は、表示装置１００の外部から表示装置１００に電源を供給する。外部電源７０が表示装置１００に電源を供給する場合は、表示装置１００の内部で電源を生成し、表示装置１００の内部の各部分に電源を供給する場合と比較して、安定した電源を表示装置１００に供給することができる。
【００３０】
表示装置１００は、通信部２００、制御部３００、記憶部４００、表示パネル部５００、センサ部６００、音声入力部７００、音声出力部８００、撮像部９００、太陽電池部１０００及び電源部１１００を備えている。通信部２００、制御部３００、記憶部４００、表示パネル部５００、センサ部６００、音声入力部７００、音声出力部８００、撮像部９００、太陽電池部１０００及び電源部１１００は配線によって電気的に接続される。画像データまたは各部分を制御する信号が、接続された配線を介して各部分に転送される。太陽電池部１０００及び電源部１１００は他の配線によって電気的に接続され、太陽電池部１０００または電源部１１００によって生成された電源が通信部２００、制御部３００、記憶部４００、表示パネル部５００、センサ部６００、音声入力部７００、音声出力部８００及び撮像部９００に供給される。
【００３１】
通信部２００、制御部３００、記憶部４００、表示パネル部５００、センサ部６００、音声入力部７００、音声出力部８００、撮像部９００、太陽電池部１０００及び電源部１１００のそれぞれが、一つの電子部品となっていてもよいし、通信部２００、制御部３００、記憶部４００、表示パネル部５００、センサ部６００、音声入力部７００、音声出力部８００、撮像部９００、太陽電池部１０００及び電源部１１００のうちの複数が一つの電子部品となっていてもよい。電子部品は、例えば、集積回路（ＩＣ、Ｉｎｔｅｇｒａｔｅｄ  Ｃｉｒｃｕｉｔ）である。例えば、前記電子部品はプリント基板上に実装されている。
【００３２】
通信部２００は、通信機能を備える電子機器または情報端末と通信する機能を有する。具体的には、通信部２００は、第１の電子機器２０、第２の電子機器３０またはサーバー６０と通信することができる。通信部２００は、第１の電子機器２０、第２の電子機器３０またはサーバー６０と通信することによって、部屋番号などのように場所または目的地を示す画像の画像データ、利用者によって認識される画像データ、利用者が利用する施設の地図の画像データ、利用者がドアまたは門を利用する時間帯のデータ、利用者がドアまたは門を利用しない時間帯のデータ、駆動方法をコンピュータに実行させるためのプログラムなどを受信することができる。例えば、通信部２００は、サーバー６０に送信された利用者によって認識される画像の画像データを、第２の電子機器３０から受信することができる。また、例えば、通信部２００は、利用者が利用する施設の地図の画像データを第１の電子機器２０へ送信することができる。
【００３３】
制御部３００は、表示装置１００が備える各部分を制御する機能を有する。具体的には、制御部３００は、記憶部４００に格納されたプログラムを読み出し、読み出されたプログラムに基づき、通信部２００、制御部３００、記憶部４００、表示パネル部５００、センサ部６００、音声入力部７００、音声出力部８００、撮像部９００、太陽電池部１０００及び電源部１１００を制御する。例えば、制御部３００は、記憶部４００に格納されたプログラムを読み出し、読み出されたプログラムに基づき、各部分を制御する信号を生成し、各部分に転送する。また、例えば、制御部３００は、記憶部４００に格納されたプログラムを読み出し、読み出されたプログラムに基づき、表示パネル部５００を制御する信号を生成し、表示パネル部５００に転送することができる。また、例えば、制御部３００は、記憶部４００に格納された他のプログラムを読み出し、読み出された他のプログラムに基づき、記憶部４００に格納された利用者によって認識される画像の画像データを読み出し、利用者によって認識される画像の画像データを表示パネル部５００に転送することができる。
【００３４】
より具体的には、制御部３００は、マイクロコントローラユニット（ＭＣＵ、Ｍｉｃｒｏ  Ｃｏｎｔｒｏｌｌｅｒ  Ｕｎｉｔ）を有する。ＭＣＵは、上述したように、記憶部４００に格納されたプログラムを読み出し、読み出されたプログラムに基づいて、表示パネル部５００を制御する信号を生成することができる。また、ＭＣＵは、表示パネル部５００に供給する信号のタイミングと、利用者によって認識される画像の画像データのタイミングとを調整してもよい。なお、制御部３００は、ＭＣＵの代わりに、ＦＰＧＡ（Ｆｉｅｌｄ  Ｐｒｏｇｒａｍｍａｂｌｅ  Ｇａｔｅ  Ａｒｒａｙ）を有していてもよいし、ＭＣＵとＦＰＧＡとの両方を有していてもよい。ＦＰＧＡは、ＭＣＵの役割を担うことができる。なお、制御部３００は、記憶部４００とは異なる記憶部を制御部３００の内部に有していてもよい。制御部３００は、記憶部４００とは異なる記憶部を制御部３００の内部に有することによって、データの処理をより速く行うことができる。
【００３５】
記憶部４００は、表示装置１００が受信した画像データ、プログラム、または地図などを格納する機能を有する。なお、画像データ、プログラム、または地図などは、予め、記憶部４００に記憶されていてもよい。具体的には、記憶部４００は、部屋番号などのように場所または目的地を示す画像の画像データ、利用者によって認識される画像の画像データ、利用者が利用する施設の地図の画像データ、利用者がドアまたは門を利用する時間帯のデータ、利用者がドアまたは門を利用しない時間帯のデータ、または駆動方法をコンピュータに実行させるためのプログラムなどを格納することができる。例えば、記憶部４００から読み出したプログラムに基づき、通信部２００によって受信された画像データが記憶部４００に格納されるように、記憶部４００は制御部３００によって制御される。記憶部４００は、例えば、不揮発メモリを有する。また、記憶部４００は、不揮発性メモリ及び揮発性メモリを有していてもよい。また、記憶部４００は、複数の不揮発性メモリまたは複数の揮発性メモリを有していてもよい。記憶部４００が複数のメモリを有することによって、記憶部４００のメモリ容量が増加し、記憶部４００はより多くの利用者の画像データまたは動画なども格納することができる。記憶部４００は、例えばメモリカードのように、着脱可能であってもよい。
【００３６】
表示パネル部５００は、例えば、基板５１４、表示領域５０４、映像信号線駆動回路５０６、走査信号線駆動回路５０８、走査信号線駆動回路５１０及び表示パネル制御回路５１２を有する。表示領域５０４、映像信号線駆動回路５０６、走査信号線駆動回路５０８、走査信号線駆動回路５１０及び表示パネル制御回路５１２は、基板５１４上に形成されていてもよい。映像信号線駆動回路５０６、走査信号線駆動回路５０８、走査信号線駆動回路５１０及び表示パネル制御回路５１２は、そのすべてが、基板５１４上に形成されなくてもよい。例えば、映像信号線駆動回路５０６、走査信号線駆動回路５０８、走査信号線駆動回路５１０及び表示パネル制御回路５１２の一部、または、すべての機能を含む集積回路（図示せず）が、基板５１４上に配置されてもよい。
【００３７】
また、表示パネル部５００を制御する信号、表示パネル部５００に表示される画像の画像データ、及び、電源は、コネクタ（図示は省略）を介して表示パネル部５００に供給されてもよい。コネクタは、表示装置１００内の各部分と配線によって電気的に接続される。コネクタは、例えば、フレキシブルプリント回路（ＦＰＣ、Ｆｌｅｘｉｂｌｅ  Ｐｒｉｎｔｅｄ  Ｃｉｒｃｕｉｔ）を用いることができる。
【００３８】
基板５１４は、ガラス基板に例示される硬い基材でもよいし、ポリイミドに例示される可撓性を有する基材でもよい。ガラス基板に例示される硬い基材を基板５１４に用いることによって、剛性が高い表示パネル部５００を提供することができる。ポリイミドに例示される可撓性を有する基材を基板５１４に用いることで、軽く、かつ薄い表示パネル部５００を提供することができる。
【００３９】
表示領域５０４は、複数の画素５０２を含んでいる。複数の画素５０２は、一方向及び一方向と交差する方向に沿って、配列される。複数の画素５０２の配列数は任意である。例えば、Ｘ方向にｍ個、Ｙ方向にｎ個の画素５０２が配列される。ｍとｎはそれぞれ独立に、１よりも大きい自然数である。表示領域５０４は画素５０２が一方向及び一方向と交差する方向に沿って配列される領域を含む。画素５０２の各々は、少なくとも、トランジスタ、表示素子、及び保持容量を有する。表示素子は、例えば、液晶素子または有機エレクトロルミネッセンス（Ｅｌｅｃｔｒｏｌｕｍｉｎｅｓｃｅｎｃｅ）素子である。
【００４０】
表示パネル制御回路５１２は、制御部３００によって制御された信号及び画像データを、映像信号線駆動回路５０６、走査信号線駆動回路５０８及び走査信号線駆動回路５１０に供給する。また、表示パネル制御回路５１２は、電源部１１００によって生成された電源電圧を、映像信号線駆動回路５０６、走査信号線駆動回路５０８及び走査信号線駆動回路５１０に供給する。表示パネル制御回路５１２は、表示パネル制御回路５１２が有する論理回路（図示せず）や電圧生成回路（図示せず）を用いて、各信号や電源電圧などから新たな信号や電源電圧を生成し、映像信号線駆動回路５０６、走査信号線駆動回路５０８及び走査信号線駆動回路５１０に供給してもよい。
【００４１】
映像信号線駆動回路５０６、走査信号線駆動回路５０８及び走査信号線駆動回路５１０に供給された信号及び電源電圧に基づき、画素５０２が有する表示素子を駆動することで、表示パネル部５００は画像を表示領域５０４に表示することができる。
【００４２】
表示パネル部５００は、例えば、４８０×６４０個の画素５０２を有する。表示領域５０４には、例えば、４８０×６４０個の画素５０２が４８０行６４０列に配置されている。表示パネル部５００は、以上のような構成によって、表示装置１００が受信した画像データに基づく画像、地図などを表示する機能を有する。表示パネル部５００は、具体的には、部屋番号などのように場所または目的地を示す画像、利用者によって認識される画像、利用者が利用する施設の地図、動画などの画像を表示することができる。なお、表示パネル部５００は、利用者がドアまたは門を利用しない時間帯に、部屋番号などのように場所または目的地を示す画像を表示する。また、表示パネル部５００は、利用者がドアまたは門を利用する時間帯に、利用者によって認識される画像を表示する。
【００４３】
なお、表示パネル部５００は、タッチ入力機能を備えていてもよい。表示パネル部５００がタッチ入力機能を備えることによって、表示装置１００は複数の入力機能を備えることができる。よって、一つの入力機能が使用不能となっても、表示システム１０は、表示装置１００によって、表示システム１０の周辺の人々を案内することができる。
【００４４】
センサ部６００は、人、煙、音、温度、ガス漏れ、水の侵入などを検知する機能を有する。具体的には、センサ部６００は、温度センサ、超音波センサ、距離センサ、赤外線センサ、振動センサ、酸素センサ、煙感知センサ等のセンサを有する。例えば、センサ部６００は、赤外線センサを有することによって、表示装置１００に近づく人を検知することができる。具体的には、利用者が、利用する部屋のドアまたは門に配置された表示装置１００に近づくと、センサ部６００は人を検知し、人を検知したことを電気信号に変換する。次に、センサ部６００は前記電気信号を制御部３００に転送する。続いて、制御部３００は、前記電気信号を転送されると、記憶部４００からプログラムを読み出す。次に、制御部３００は、記憶部４００から読み出したプログラムに基づき、表示パネル部５００が表示している画像を、部屋番号の画像から利用者が認識することができる画像に切り替えてもよい。利用者は、ドアまたは門を利用する者に限定されず、表示装置１００の近傍に位置する所定の領域に位置し、表示装置１００が表示する画像を視認できる者であってもよい。利用者が利用する物は、部屋のドアまたは門に限定されず、利用者が利用を希望している物、利用を予約している物、すなわち所定の利用物であってもよい。
【００４５】
表示装置１００はセンサ部６００を有することによって、利用者の個人情報を漏洩することなく、利用者を、利用者が利用するドアまたは門に、より円滑に案内することができる。なお、前記電気信号が、制御部３００に転送されることに基づき、表示パネル部５００は画像を切り替えることができる。よって、前記電気信号はトリガー信号と言い換えてもよい。また、利用者が認識することができる画像は、前記電気信号に基づき、表示パネル部５００に表示されるため、トリガー信号に関連付けられた場所への経路を案内する画像と言い換えてもよい。また、利用者が認識することができる画像の画像データは、トリガー信号に関連付けられた場所への経路を案内する画像の画像データと言い換えてもよい。
【００４６】
また、利用者が、利用する部屋のドアまたは門を利用する時間帯に、利用する部屋のドアまたは門に配置された表示装置１００に近づくことによって、表示パネル部５００は表示している画像を部屋番号から利用者が認識することができる画像に切り替えてもよい。
【００４７】
なお、利用者以外の人が、利用する部屋のドアまたは門に配置された表示装置１００に近づくことによって、センサ部６００は人を検知し、表示パネル部５００は表示している画像を部屋番号から利用者が認識することができる画像に切り替えたとしても、利用者以外の人は、利用者が認識することができる画像を認識することはできない。また、利用者以外の人が、利用する部屋のドアまたは門を利用する時間帯に、利用する部屋のドアまたは門に配置された表示装置１００に近づくことによって、表示パネル部５００は表示している画像を部屋番号から利用者が認識することができる画像に切り替えたとしても、利用者以外の人は、利用者が認識することができる画像を認識することはできない。よって、本発明の一実施形態に係る表示システム１０または表示装置１００を用いることによって、利用者の個人情報は漏洩することがない。
【００４８】
なお、本明細書において、画像を切り替えることは、制御部３００によって実行されてもよいし、サーバー６０によって実行されてもよい。例えば、画像を切り替えることが制御部３００によって実行される場合、制御部３００は記憶部４００から読み出したプログラムに基づき、表示パネル部５００に表示されている画像を部屋番号から利用者が認識することができる画像に切り替えてもよい。
【００４９】
また、例えば、センサ部６００は、煙感知センサを有することによって、表示装置１００の近傍で発生した煙を検知することができる。具体的には、煙が表示装置１００の近傍で発生すると、センサ部６００は煙を検知し、表示パネル部５００は表示している画像を部屋番号から避難経路を案内する地図に切り替えてもよい。表示装置１００はセンサ部６００を有することによって、緊急時において、より円滑に避難経路を案内することができる。
【００５０】
音声入力部７００は、音を認識する機能、または、音による入力を可能にする機能を有する。音声入力部７００は、例えば、マイクロフォンである。表示装置１００は音声入力部７００を有することによって、声による入力を可能にする。例えば、人が目的地を表示装置１００に問い合わせた場合、表示装置１００は目的地までの経路を案内する画像を表示パネル部５００に表示してもよい。具体的には、人が、「エレベータはどこですか」、または、「エレベータを案内してください」のように、音声を、音声入力部７００に入力すると、音声入力部７００は音声が入力されたことに基づき、電気信号を生成する。次に、音声入力部７００は前記電気信号を、制御部３００に転送する。続いて、制御部３００は、前記電気信号を転送されると、記憶部４００からプログラムを読み出す。次に、制御部３００は、記憶部４００から読み出したプログラムに基づき、表示パネル部５００を制御する信号を生成し、記憶部４００からエレベータまでの経路を案内する画像の画像データを読み出す。続いて、制御部３００は、記憶部４００から読み出したプログラムに基づき、表示パネル部５００を制御する信号及びエレベータまでの経路を案内する画像の画像データを、表示パネル部５００に転送する。そして、表示パネル部５００を制御する信号及びエレベータまでの経路を案内する画像の画像データに基づき、表示パネル部５００は、エレベータまでの経路を案内する画像を表示する。
【００５１】
表示装置１００は音声入力部７００を有することによって、より円滑に目的地までの経路を案内することができる。なお、前記電気信号が、制御部３００に転送されることに基づき、表示装置１００は、エレベータまでの経路を案内する画像を表示パネル部５００に表示することができる。よって、前記電気信号はトリガー信号と言い換えてもよい。また、エレベータまでの経路を案内する画像は、前記電気信号に基づき、表示パネル部５００に表示されるため、トリガー信号に関連付けられた場所への経路を案内する画像と言い換えてもよい。また、エレベータまでの経路を案内する画像の画像データは、トリガー信号に関連付けられた場所への経路を案内する画像の画像データと言い換えてもよい。
【００５２】
音声出力部８００は、音を発する機能、具体的には、音による出力を可能にする機能を有する。音声出力部８００は、例えば、スピーカーである。例えば、人が目的地を表示装置１００に問い合わせた場合、表示装置１００は目的地までの経路を、音声出力部８００から音声によって案内することができる。このとき、表示装置１００は目的地までの経路を表示パネル部５００に表示してもよい。具体的には、人が、エレベータの場所を表示装置１００に問い合わせたとき、音声出力部８００は、「エレベータはここを進んで右側にあります」のように、エレベータまでの経路を案内する。表示装置１００は、人に、目的地までの経路を、音と画像によって案内することによって、人はより詳細に目的地までの経路を認識することができる。
【００５３】
撮像部９００は、表示装置１００が配置されたドアまたは門に近づく人、または、表示装置１００が配置されたドアまたは門を通過する人を監視する機能を有する。撮像部９００は、例えば、カメラである。例えば、利用者が利用する時間帯に、表示装置１００が利用者によって認識可能な画像を表示しているとする。表示装置１００は、ドアまたは門に近づく人に、撮像部９００に近づくことを促し、利用者を特定することが可能な問いかけをしてもよい。具体的には、表示装置１００は、表示パネル部５００に「撮像部に近づき、暗証番号を入力してください」というような画像を表示してもよい。ドアまたは門に近づく人が利用者である場合、利用者は事前に登録済みの暗証番号を表示装置１００に入力することによって、表示装置はドアまたは門に近づく人を利用者と特定することができる。ドアまたは門に近づく人が利用者でない場合、ドアまたは門に近づく人がドアまたは門を通り過ぎることによって、表示装置はドアまたは門に近づく人を利用者と区別することができる。表示装置１００は、撮像部９００を有することによって、利用者の個人情報を漏洩することなく、利用者を特定することができる。本段落で説明した機能は、利用者が鍵またはタグなどの第１の電子機器を所持していない場合に特に有効である。また、ドアまたは門に近づく人が暗証番号の入力を間違えた場合、表示装置１００はドアまたは門に近づく人が不審者の可能性があることをサーバー６０に送信してもよい。
【００５４】
太陽電池部１０００は、少なくともソーラーパネル部及び蓄電部を有する。ソーラーパネル部は、太陽光または光を電気エネルギーに変換する機能を有する。蓄電部は、前記電気エネルギーを蓄電する機能を有する。表示装置１００が太陽電池部１０００を有することは、表示装置１００が屋外に配置される場合により有効である。また、表示装置１００が太陽電池部１０００を有することは、外部電源７０から表示装置１００への電源の供給が、停電、災害などによって遮断された場合により有効である。
【００５５】
電源部１１００は、外部電源７０から供給される電源を、通信部２００、制御部３００、記憶部４００、表示パネル部５００、センサ部６００、音声入力部７００、音声出力部８００、撮像部９００または太陽電池部１０００に供給する機能を有する。また、電源部１１００は、太陽電池部１０００から供給される電気エネルギーを、通信部２００、制御部３００、記憶部４００、表示パネル部５００、センサ部６００、音声入力部７００、音声出力部８００または撮像部９００に供給する機能を有する。
【００５６】
電源部１１００は、定電圧を生成する回路を有していてもよい。例えば、定電圧を生成する回路は、レギュレータ、ＤＣ−ＤＣコンバータである。定電圧を生成する回路は、電源部１１００に入力された電源の電源電圧とは異なる電源電圧を生成することができる。または、定電圧を生成する回路は、電源部１１００に入力された電源の電源電圧と同等の電源電圧で、電源部１１００に入力された電源の電源電圧によって生成される電流と比較して大きな電流を生成してもよい。電源部１１００は、定電圧を生成する回路を有することによって、適切な電源電圧を、通信部２００、制御部３００、記憶部４００、表示パネル部５００、センサ部６００、音声入力部７００、音声出力部８００、撮像部９００または太陽電池部１０００に供給することができる。
【００５７】
電源部１１００が、電源または電気エネルギーを、通信部２００、制御部３００、記憶部４００、表示パネル部５００、センサ部６００、音声入力部７００、音声出力部８００、撮像部９００または太陽電池部１０００に供給することによって、通信部２００、制御部３００、記憶部４００、表示パネル部５００、センサ部６００、音声入力部７００、音声出力部８００、撮像部９００または太陽電池部１０００に供給することによって、表示装置１００は駆動される。
【００５８】
なお、部屋番号などのように場所または目的地を示す画像の画像データ、利用者によって認識される画像データ、利用者が利用する施設の地図の画像データ、利用者がドアまたは門を利用する時間帯のデータ、利用者がドアまたは門を利用しない時間帯のデータ、及び、駆動方法をコンピュータに実行させるためのプログラムなどは、表示装置１００に有線で着脱可能な記憶装置（図示は省略）によって表示装置１００またはサーバー６０に転送されてもよい。表示装置１００に着脱可能な記憶装置は、例えば、ＵＳＢメモリが挙げられる。また、記憶部４００に格納される部屋番号などのように場所または目的地を示す画像の画像データ、利用者によって認識される画像データ、利用者が利用する施設の地図の画像データ、利用者がドアまたは門を利用する時間帯のデータ、利用者がドアまたは門を利用しない時間帯のデータ、及び駆動方法をコンピュータに実行させるためのプログラムなどは、表示装置１００に有線で着脱可能な記憶装置（図示は省略）によって、記憶部４００に転送されてもよい。さらに、場所または目的地を示す画像の画像データは、利用者によって認識される画像データと異なっていてもよい。
【００５９】
また、図１に示す表示システム１０は、外部電源７０を備えているが、外部電源７０を備えていなくてもよい。表示システム１０が外部電源７０を備えないことによって、表示システム１０を簡素化することができ、表示システム１０を構築する費用を低減することができる。また、表示システム１０が外部電源７０を備えないことによって、表示システム１０は低電力化される。ここで、表示システム１０が外部電源７０を備えない場合、表示装置１００は電源部１１００及び太陽電池部１０００を備えることによって、表示装置１００は電源部１１００または太陽電池部１０００を介して各部分に電源を供給することができる。
【００６０】
また、図１に示す表示システム１０は、サーバー６０を備えているが、サーバー６０を備えていなくてもよい。表示システム１０がサーバー６０を備えないことによって、表示システム１０を簡素化することができ、表示システム１０を構築する費用を低減することができる。また、表示システム１０がサーバー６０を備えないことによって、表示システム１０は低電力化される。なお、表示システム１０がサーバー６０を備えていない場合、表示装置１００が備える記憶部４００がサーバー６０の機能を代替してもよい。記憶部４００がサーバー６０の機能を代替することによって、表示システム１０の機能を低下させることなく、表示システム１０を低電力化できる可能性がある。また、詳細は後述するが、表示システム１０がサーバー６０を備えていない場合、複数の表示装置１００が無線ネットワークを介して各表示装置の通信部２００と双方向通信を行うことで、複数の表示装置１００が連動してもよい。複数の表示装置１００が連動することによって、利用者が有する第１の電子機器または第２の電子機器と複数の表示装置１００との通信が密になるため、表示システム１０は利用者の居場所を特定しやすくなり、かつ、表示システム１０は利用者への経路案内をより円滑に行うことができる。
【００６１】
また、図１に示す表示装置１００は、センサ部６００を備えているが、センサ部６００を備えていなくてもよい。表示装置１００がセンサ部６００を備えないことによって、災害などの緊急時において、避難経路または避難指示を、センサ部６００を介さずにサーバー６０から表示装置１００に送信することができる。よって、表示システム１０は、避難経路または避難指示を、表示装置１００の周辺に、より迅速に知らせることができる。また、表示装置１００がセンサ部６００を備えないことによって、表示装置１００を簡素化することができ、表示装置１００を構築する費用を低減することができる。また、表示装置１００がセンサ部６００を備えないことによって、表示装置１００は低電力化される。
【００６２】
また、図１に示す表示システム１０は、外部電源７０及びサーバー６０を備えているが、外部電源７０及びサーバー６０を備えていなくてもよい。表示システム１０が外部電源７０及びサーバー６０を備えないことによって、表示システム１０の利用者を含めた表示システム１０の周辺の人々は、サーバー６０を介さずに、第１の電子機器２０または第２の電子機器３０と表示装置１００との通信を実行することができる。よって、表示システム１０の利用者を含めた表示システム１０の周辺の人々は、第１の電子機器２０または第２の電子機器３０と表示装置１００との通信を、より迅速に行うことができる。災害時においては、表示システム１０は、避難経路または避難指示を、表示装置１００の周辺に、より迅速に知らせることができる。
【００６３】
また、図１に示す表示装置１００は、撮像部、音声入力部及び音声出力部を備えているが、撮像部、音声入力部及び音声出力部を備えていなくてもよい。表示装置１００が撮像部、音声入力部または音声出力部を備えないことによって、表示システム１０は、表示による案内に特化したシステムを、利用者または表示システム１０の利用者を含めた表示システム１０の周辺の人々に提供することができる。
【００６４】
また、図１に示す表示装置１００は、撮像部、音声入力部及び音声出力部を備えているが、撮像部、音声入力部及び音声出力部のうち、少なくとも何れか一つを備えていてもよい。例えば、表示装置１００は、撮像部、音声入力部及び音声出力部のうち、音声入力部のみを備えることによって、電子機器に基づく表示案内と音声入力に基づく表示案内との二つの機能を有することができる。表示装置１００が二つの機能を有することによって、一つの機能が使用不能となった場合においても、表示システム１０は、表示装置１００によって、利用者または表示システム１０の利用者を含めた表示システム１０の周辺の人々を案内することができる。また、例えば、表示装置１００は、撮像部、音声入力部及び音声出力部のうち、音声入力部及び音声出力部を備えることによって、インターフォンの機能を有することができる。表示装置１００が、インターフォンの機能を有することによって、表示装置１００が、郵便物または荷物を配達する人または訪問客などのような来訪者を案内することも可能となる。
【００６５】
２−２．表示装置１００の配置の例
図２は、第１実施形態に係る表示装置の配置の例を示す図である。図１と同様の構成はここでの説明を省略する。
【００６６】
図２（Ａ）は、表示装置１００がドア４０の近傍に配置された例を示す図である。図２（Ｂ）は、表示装置１００がドア４０の扉に配置された例を示す図である。図２（Ｃ）は、表示装置１００が門４４の近傍に配置された例を示す図である。図２（Ｄ）は、表示装置１００が門４４の扉に配置された例を示す図である。図２（Ｅ）は、表示装置１００が門柱４６に配置された例を示す図である。なお、図２（Ｅ）に示される例では、門柱４６は郵便受け４８を有するが、門柱４６は郵便受け４８を有していなくてもよい。また、図２（Ａ）及び図２（Ｂ）に示される例では、ドア４０は郵便受け４８有していなが、ドア４０は郵便受け４８を有していてもよい。また、図２（Ｃ）及び図２（Ｄ）も図２（Ａ）及び図２（Ｂ）と同様に、門４４は郵便受け４８を有していてもよい。
【００６７】
なお、図２に示された表示装置１００の配置の例は、一例であって、図２に示された例に限定されない。例えば表示装置１００は、ドア４０の外側に、すなわちドア４０を備える部屋の外部に配置されてもよく、ドア４０の内側に、すなわちドア４０を備える部屋の内部に配置されてもよい。表示装置１００は、情報漏洩の対策、プライバシーの保護、または移動経路の明確化を必要とされる空間、場所、または目的地に備えられればよい。
【００６８】
２−３．表示装置１００に表示される画像の例
図３は、第１実施形態に係る表示装置に表示される画像の例を示す図である。図１または図２と同様の構成はここでの説明を省略する。
【００６９】
図３（Ａ）は、表示装置１００がホテルの一室のドアの近傍に配置された例を示す図である。利用者がホテルの一室を利用しない時間帯において、表示パネル部５００は、ホテルの一室の部屋が２０５号室であることを認識可能な「部屋番号２０５」を表示している。図３（Ｂ）は、表示装置１００がレンタルオフィスの一室のドアの近傍に配置された例を示す図である。利用者がレンタルオフィスの一室を利用しない時間帯において、表示パネル部５００は、レンタルオフィスの一室が会議室であることを認識可能な「会議室」を表示している。図３（Ｃ）は、表示装置１００がホテルの一室のドアの近傍に配置された例を示す図である。利用者がホテルの一室を利用する時間帯において、表示パネル部５００は、利用者によって認識される風景を表示している。図３（Ｄ）は、表示装置１００がホテルの一室のドアの近傍に配置された例を示す図である。表示パネル部５００は、非常時に救助が必要な場合に「救助ここ」と記された画像を表示している。図３（Ｅ）は、表示装置１００がホテルの一室のドアの近傍に配置された例を示す図である。利用者がホテルの一室を利用する時間帯において、表示パネル部５００は、「Ｗｅｌｃｏｍｅ」と記されたメッセージを表示している。図３（Ｆ）は、表示装置１００がホテルの一室のドアの近傍に配置された例を示す図である。利用者がホテルの一室を利用する時間帯において、表示パネル部５００は、部屋番号２０５、及び、利用者によって認識される星形のマークを表示している。
【００７０】
なお、図３に示された表示装置１００に表示される画像の例は、一例であって、表示装置１００に表示される画像は図３に示された画像に限定されない。表示装置１００に表示される画像は、表示装置１００の所有者または表示装置１００が配置されるドアまたは門の利用者によって適宜選択された画像であれればよい。
【００７１】
２−４．表示システム１０及び表示装置１００の駆動の例
図４は、第１実施形態に係る表示装置の駆動を説明するためのフローチャートを示す図である。なお、図４において、所定の画像データが、利用者によって認識される画像の画像データに相当し、第１の画像データが、場所または目的地を示す画像の画像データに相当する。また、第１の画像データは、ドアまたは門を利用する利用者を直接特定できないような画像の画像データであってもよい。なお、図１乃至図３と同様の構成はここでの説明を省略する。
【００７２】
表示システム１０及び表示装置１００の駆動が開始される。初めに、電源が表示装置１００に供給される（ステップ３１（Ｓ３１））。例えば、電源が供給されることは、電源が投入されること、電源電圧が供給されること、または、電源電圧が印加されることと言い換えてもよい。
【００７３】
次に、表示装置１００が初期化される（ステップ３３（Ｓ３３））。ここで、初期化とは、起動の際に、表示装置１００の新たな作業に不要なデータが記憶部４００に残っていることを回避するために、当該不要なデータを消去することを含む。初期化には、表示パネル部５００に表示されていた画像を白単色の画像または黒単色の画像にすること、または、表示装置１００を初期の状態に戻すことが含まれてもよい。初期化によって、表示装置１００は新たな作業を開始することができる。
【００７４】
次に、表示装置１００は、利用者の携帯情報端末から、利用者によって認識される画像の画像データを受信する（ステップ３５（Ｓ３５））。このとき、表示装置１００は、利用者の携帯情報端末から、ドアまたは門を利用する利用者を直接特定できないような画像の画像データ、利用者がドアまたは門を利用する時間帯のデータ、または、利用者がドアまたは門を利用しない時間帯のデータを受信してもよい。なお、ドアまたは門を利用する利用者を直接特定できないような画像の画像データ、利用者がドアまたは門を利用しない時間帯のデータ、利用者によって認識される画像の画像データ、または、利用者がドアまたは門を利用する時間帯のデータは、利用者の携帯情報端末からサーバーに送信されたのち、前記サーバーから表示装置１００が有する通信部２００に送信されてもよい。また、利用者によって認識される画像の画像データが、表示システム１０または表示装置１００に予め保存されていてもよい。表示システム１０または表示装置１００への当該画像データの保存は、表示システム１０または表示装置１００にメモリを内蔵してもよいし、当該画像データを保存した着脱可能なメモリカードを表示システム１０または表示装置１００に取り付けてもよい。この場合、ステップ３５（Ｓ３５）では、保存されている画像データを読み込む動作が行われる。
【００７５】
次に、表示装置１００は、ドアまたは門を利用する利用者を直接特定できないような画像を表示パネル部５００に表示する（ステップ３７（Ｓ３７））。なお、表示装置１００は、場所または目的地を示す画像を表示パネル部５００に表示してもよい。例えば、表示装置１００は、図２（Ａ）で示したような部屋番号を表示する。また、表示装置１００は、白単色の画像または黒単色の画像を表示してもよいし、画像を表示しなくてもよい。
【００７６】
次に、表示システム１０は、今は利用者が利用する時間帯か否かを判定する（ステップ３９（Ｓ３９））。ここで、前記判定は、サーバー６０または制御部３００によって実行されてもよい。例えば、前記判定は、制御部３００によって実行されるとする。
【００７７】
制御部３００が、記憶部４００から読み出したプログラムに基づき、今は利用者が利用する時間帯でない（ＮＯ）と判定した場合、表示装置１００は、ドアまたは門を利用する利用者を直接特定できないような画像を表示パネル部５００に表示する（ステップ３７（Ｓ３７））。制御部３００が、記憶部４００から読み出したプログラムに基づき、今は利用者が利用する時間帯である（ＹＥＳ）と判定した場合、表示装置１００は、ドアまたは門を利用する利用者を直接特定できないような画像を、利用者によって認識される画像に切り替えて、利用者によって認識される画像を表示パネル部５００に表示する（ステップ４１（Ｓ４１））。すなわち、制御部３００が、今は利用者が利用する時間帯であると判定するまで、表示装置１００は、ドアまたは門を利用する利用者を直接特定できないような画像を表示パネル部５００に表示する。制御部３００が、今は利用者が利用する時間帯であると判定したのち、表示装置１００は、利用者によって認識される画像を表示パネル部５００に表示する。
【００７８】
次に、表示システム１０は、今は利用者が利用しない時間帯か否かを判定する（ステップ４３（Ｓ４３））。ここで、前記判定は、サーバー６０または制御部３００によって実行されてもよい。例えば、前記判定は、制御部３００によって実行されるとする。
【００７９】
制御部３００が、今は利用者が利用しない時間帯ではない（ＮＯ）、すなわち、今は利用者が利用する時間帯であると判定した場合、表示装置１００は、利用者によって認識される画像を表示パネル部５００に表示する（ステップ４１（Ｓ４１））。制御部３００が、今は利用者が利用しない時間帯である（ＹＥＳ）、すなわち、今は利用者が利用しない時間帯であると判定した場合、表示装置１００は、利用者によって認識される画像を、ドアまたは門を利用する利用者を直接特定できないような画像に切り替えて、ドアまたは門を利用する利用者を直接特定できないような画像を表示パネル部５００に表示する（ステップ４５（Ｓ４５））。すなわち、制御部３００が、今は利用者が利用しない時間帯であると判定するまで、表示装置１００は、利用者によって認識される画像を表示パネル部５００に表示する。制御部３００が、今は利用者が利用しない時間帯であると判定したのち、表示装置１００は、ドアまたは門を利用する利用者を直接特定できないような画像を表示パネル部５００に表示する。
【００８０】
表示装置１００が、ドアまたは門を利用する利用者を直接特定できないような画像を表示パネル部５００に表示すると、表示システム１０及び表示装置１００の駆動が完了される。
【００８１】
２−５．表示システム１０及び表示装置１００の駆動の例
図５は、第１実施形態に係る表示装置の駆動を説明するためのフローチャートを示す図である。なお、図４に示されたフローチャートは利用者が利用する時間帯を判定していたのに対し、図５に示されたフローチャートは人を検知する点が異なる。図５に示されたフローチャートは、人を検知する点以外は図４に示されたフローチャートと同様であるから、図４に示されたフローチャートと同様の説明は、図４に示されたフローチャートの説明を代用するものとする。また、図１乃至図４と同様の構成は、ここでの説明を省略する。
【００８２】
開始、ステップ３１０（Ｓ３１０）、ステップ３３０（Ｓ３３０）、ステップ３５０（Ｓ３５０）、ステップ３７０（Ｓ３７０）、ステップ４１０（Ｓ４１０）、ステップ４５０（Ｓ４５０）及び完了は、それぞれ図４に示されたフローチャートにおける開始、ステップ３１（Ｓ３１）、ステップ３３（Ｓ３３）、ステップ３５（Ｓ３５）、ステップ３７（Ｓ３７）、ステップ４１（Ｓ４１）、ステップ４５（Ｓ４５）及び完了と同様であるから、図４に示されたフローチャートの説明を代用するものとする。
【００８３】
次に、表示装置１００は、ステップ３７０（Ｓ３７０）において、ドアまたは門を利用する利用者を直接特定できないような画像を表示パネル部５００に表示する。
【００８４】
次に、表示システム１０は、表示装置１００のセンサ部６００を介して、表示装置１００の近くに人がいるか否かを検知する（ステップ３９０（Ｓ３９０））。
【００８５】
センサ部６００が、人を検知しない（ＮＯ）場合、表示装置１００は、ドアまたは門を利用する利用者を直接特定できないような画像を表示パネル部５００に表示する（ステップ３７０（Ｓ３７０））。センサ部６００が、人を検知した（ＹＥＳ）場合、表示装置１００は、ドアまたは門を利用する利用者を直接特定できないような画像を、利用者によって認識される画像に切り替えて、利用者によって認識される画像を表示パネル部５００に表示する（ステップ４１０（Ｓ４１０））。すなわち、センサ部６００が、人を検知するまで、表示装置１００は、ドアまたは門を利用する利用者を直接特定できないような画像を表示パネル部５００に表示する。センサ部６００が、人を検知したのち、表示装置１００は、利用者によって認識される画像を表示パネル部５００に表示する。
【００８６】
次に、表示システム１０は、表示装置１００のセンサ部６００を介して、表示装置１００の近くに人がいるか否かを検知する（ステップ４３０（Ｓ４３０））。
【００８７】
センサ部６００が、人を検知した（ＹＥＳ）場合、表示装置１００は、利用者によって認識される画像を表示パネル部５００に表示する（ステップ４１（Ｓ４１））。センサ部６００が、人を検知しない（ＮＯ）場合、表示装置１００は、利用者によって認識される画像を、ドアまたは門を利用する利用者を直接特定できないような画像に切り替えて、ドアまたは門を利用する利用者を直接特定できないような画像を表示パネル部５００に表示する（ステップ４５０（Ｓ４５０））。すなわち、センサ部６００が、人を検知しなくなるまで、表示装置１００は、利用者によって認識される画像を表示パネル部５００に表示する。センサ部６００が、人を検知しなくなったのち、表示装置１００は、ドアまたは門を利用する利用者を直接特定できないような画像を表示パネル部５００に表示する。
【００８８】
表示装置１００が、ドアまたは門を利用する利用者を直接特定できないような画像を表示パネル部５００に表示すると、表示システム１０及び表示装置１００の駆動が完了される。
【００８９】
以上説明したように、本発明の一実施形態に係る表示システムは、利用者が利用する時間帯に、利用者によって認識される画像を表示パネル部５００に表示し、利用者が利用しない時間帯に、ドアまたは門を利用する利用者を直接特定できないような画像を表示パネル部５００に表示することができる。したがって、本発明の一実施形態に係る表示システム及び表示装置を利用することによって、利用者は、利用者に関する情報の漏洩を抑制し、利用者のプライバシーを保護することができる。また、本発明の一実施形態に係る表示システム及び表示装置は、利用者の個人情報を漏洩することなく、利用者を、利用者が利用するドアまたは門に、より円滑に案内することができる。
【００９０】
３．第２実施形態
第２実施形態では、表示システム１２の構成、及び、表示システム１２の駆動の例を説明する。なお、第１実施形態と同様の構成に関しては説明を省略することがある。
【００９１】
３−１．表示システム１２の構成
図６は、第２実施形態に係る表示システム１２の構成を示す図である。
【００９２】
図６に示すように、表示システム１２は、複数のサーバーと、複数の表示装置を有する。具体的には、表示システム１２は、第１の電子機器２０、第２の電子機器３０、サーバー６２Ａ、サーバー６２Ｂ、外部電源７０、表示装置１０２Ａ、表示装置１０２Ｂ及び表示装置１０２Ｃを有する。サーバー６２Ａ、サーバー６２Ｂ、表示装置１０２Ａ、表示装置１０２Ｂ及び表示装置１０２Ｃは、ネットワーク１５０を介して接続されている。外部電源７０は、サーバー６２Ａ、サーバー６２Ｂ、外部電源７０、表示装置１０２Ａ、表示装置１０２Ｂ及び表示装置１０２Ｃと電気的に接続されている。
【００９３】
なお、第１の電子機器２０または第２の電子機器３０も、ネットワーク１５０を介して接続されていてもよい。第１の電子機器２０、第２の電子機器３０及び外部電源７０は、第１実施形態と同様の構成であるから、ここでの説明を省略する。また、サーバー６２Ａ及びサーバー６２Ｂは、第１実施形態において示されたサーバー６０と同様であるから、ここでの説明を省略する。さらに、表示装置１０２Ａ、表示装置１０２Ｂ及び表示装置１０２Ｃは、第１実施形態において示された表示装置１００と同様であるから、ここでの説明を省略する。
【００９４】
また、表示システム１２の構成は、図６に示された構成に限定されない。例えば、表示システム１２は、３つ以上のサーバーを有していてもよいし、４つ以上の表示装置を有していてもよい。表示システム１２の構成は、表示システム１２の用途によって適宜決定されればよい。
【００９５】
３−２．表示システム１２の駆動の例
図７乃至図９を用いて、表示システム１２がホテルで利用される例を説明する。具体的には、利用者がホテルを利用する時間帯に、表示システム１２を利用することによって、利用者が、利用する部屋に案内される例を説明する。図７及び図８は、表示システム１２の駆動を説明するための図である。図９は、表示システム１２の駆動を説明するためのフローチャートを示す図である。なお、図１乃至図６に示された構成と同様の構成に関しては説明を省略することがある。
【００９６】
図７に示すように、ホテルは、部屋番号２１の部屋、部屋番号２２の部屋及び部屋番号２３の部屋を含む。部屋番号２１の部屋のドア４２Ａの近傍には、表示装置１０２Ａが配置されている。部屋番号２２の部屋のドア４２Ｂの近傍には、表示装置１０２Ｂが配置されている。部屋番号２３の部屋のドア４２Ｃの近傍には、表示装置１０２Ｃが配置されている。なお、図７は、利用者が部屋番号２２の部屋を利用しない時間帯における、表示システム１０を示している。
【００９７】
よって、各部屋の表示装置１００は、利用者を直接特定できないような画像を、各部屋の表示パネル部５００に表示している。具体的には、表示装置１０２Ａは、部屋番号２１を表示パネル部５０２Ａに表示している。表示装置１０２Ｂは、部屋番号２２を表示パネル部５０２Ｂに表示している。表示装置１０２Ｃは、部屋番号２３を表示パネル部５０２Ｃに表示している。
【００９８】
利用者が部屋番号２２の部屋を利用する時刻を過ぎ、利用者が部屋番号２２のルームキーを所持し、表示システム１２に近づくと、ルームキーと各表示装置とが通信を開始する。ここで、利用者が所持するルームキーが、第１の電子機器２０である。
【００９９】
ルームキーと表示装置１０２Ａ、表示装置１０２Ｂ及び表示装置１０２Ｃとが通信を開始すると、図８に示すように、表示装置１０２Ａは、部屋番号２１を示す画像を部屋番号２２の方向を示す矢印の画像に切り替えて、部屋番号２２の方向を示す矢印を表示パネル部５０２Ａに表示する。同様にして、表示装置１０２Ｃは、部屋番号２３を示す画像を部屋番号２２の方向を示す矢印の画像に切り替えて、部屋番号２２の方向を示す矢印を表示パネル部５０２Ｃに表示する。表示装置１０２Ｂは、利用者が利用する部屋の表示装置であるから、部屋番号２２を示す画像を、利用者が認識することができる画像に切り替えて、利用者が認識することができる画像を表示パネル部５０２Ｂに表示する。ここでは、利用者は、事前に、利用者が部屋番号２２を利用する時間帯、及び、利用者が認識することができる星形のマークの画像データを、利用者が所有する携帯情報端末からサーバー６２Ａまたはサーバー６２Ｂに送信し、利用者が利用する時間帯及び利用者が識別可能なマークを登録している。よって、表示装置１０２Ｂは、利用者が事前に登録済みである星形のマークの画像を表示する。ここで、利用者が所有する携帯情報端末が、第２の電子機器３０である。
【０１００】
なお、ルームキーと表示装置１０２Ａ、表示装置１０２Ｂ及び表示装置１０２Ｃとが通信できない場合、表示装置１０２Ａ、表示装置１０２Ｂ及び表示装置１０２Ｃのうち、少なくともいずれか一つの表示装置がサーバー６２Ａまたはサーバー６２Ｂに、ルームキーとの通信が不能であることを送信する。サーバー６２Ａまたはサーバー６２Ｂは、ルームキーとの通信が不能であることを受信する。そして、サーバー６２Ａまたはサーバー６２Ｂは、例えば、ルームキーをホテルのフロントに取りに行くことを利用者に案内してもよい。また、利用者がルームキーを所持していない場合も、ルームキーと表示装置１０２Ａ、表示装置１０２Ｂ及び表示装置１０２Ｃとが通信できない場合と同様に、例えば、サーバー６２Ａまたはサーバー６２Ｂは、ルームキーをホテルのフロントに取りに行くことを利用者に案内してもよい。
【０１０１】
利用者は、各表示装置の画像を見ながら移動し、星形のマークの画像を表示する部屋を探すことによって、本日利用する部屋に移動することができる。星形のマークは、利用者のみが認識可能なマークであるから、利用者は、個人情報を漏洩されることなく、本日利用する部屋に移動することができる。各表示装置は、利用者が所有するルームキーと通信し、連動することによって、利用者に経路を案内することができる。
【０１０２】
なお、利用者が、本日利用する部屋に入室したのち、利用者が利用する以外の部屋の表示装置は、部屋番号２２の方向を示す矢印の画像を各部屋の部屋番号を示す画像に切り替えて、各部屋の部屋番号を表示パネルに表示してもよい。利用者が、本日利用する部屋に入室したのち、全ての部屋の表示装置は、音声機能を停止してもよい。
【０１０３】
また、利用者が部屋番号２２の部屋を利用する時刻であっても、利用者が部屋番号２２のルームキーを所持し、利用者が表示システム１２から遠ざかり、前記ルームキーと各部屋の表示装置との通信が不通になると、各部屋の表示装置は音声機能を停止してもよい。
【０１０４】
また、利用者が部屋番号２２の部屋を利用する時刻を過ぎ、利用者が部屋番号２２のルームキーを所持し、表示システム１２に近づくと、前記ルームキーは表示装置と通信し、最も近い表示装置は音声機能を起動してもよい。また、最も近い表示装置は音声機能を起動したのちに、利用者に問いかけをしてもよい。利用者が表示システム１２から遠ざかり、前記ルームキーと表示装置との通信が不通になると、最も近い表示装置は音声機能を停止してもよい。
【０１０５】
また、利用者が部屋番号２２の部屋を利用する時刻を過ぎ、利用者が表示システム１２に近づくと、最も近い表示装置のセンサ部が利用者を検知し、音声機能を起動してもよい。利用者が表示システム１２から遠ざかり、最も近い表示装置のセンサ部が利用者を検知しなくなると、最も近い表示装置は音声機能を停止してもよい。
【０１０６】
表示装置が音声機能を停止したのち、部屋番号２２の方向を示す矢印の画像を各部屋の部屋番号を示す画像に切り替えて、各部屋の部屋番号を表示パネルに表示してもよい。各表示装置は、利用者が所有するルームキーと通信し、連動することによって、表示機能及び音声機能の二つの機能によって、利用者に経路を案内することができる。
【０１０７】
図７及び図８を用いて説明した表示システム１２の駆動を、図９のフローチャート用いて説明する。
【０１０８】
表示システム１２の駆動が開始される。初めに、電源がサーバー６２Ａ、サーバー６２Ｂ、表示装置１０２Ａ、表示装置１０２Ｂ及び表示装置１０２Ｃに供給されるステップ６１（Ｓ６１）。例えば、電源が供給されることは、電源が投入されること、電源電圧が供給されること、または、電源電圧が印加されることと言い換えてもよい。なお、電源は外部電源７０から各装置に供給されてもよい。また、電源は外部電源７０からサーバー６２Ａ及びサーバー６２Ｂに供給されてもよい。また、電源は各表示装置内の電源部から各表示装置に供給されてもよい。
【０１０９】
次に、表示装置１０２Ａ、表示装置１０２Ｂ及び表示装置１０２Ｃが初期化される（ステップ６３（Ｓ６３））。ここで、表示装置１０２Ａ、表示装置１０２Ｂ及び表示装置１０２Ｃの初期化は、図４において説明された表示装置１００の初期化と同様であるから、ここでの説明は省略する。なお、サーバー６２Ａ及びサーバー６２Ｂも、初期化されてもよい。サーバー６２Ａ及びサーバー６２Ｂの初期化は、表示装置１００の初期化と同様である。
【０１１０】
次に、表示装置１０２Ｂは、サーバー６２Ａ及びサーバー６２Ｂから、利用者によって認識される画像の画像データを受信する（ステップ６５（Ｓ６５））。表示装置１０２Ｂが、すでに、サーバー６２Ａ及びサーバー６２Ｂから、利用者によって認識される画像の画像データを受信していたとき、表示システム１２は、ステップ６５（Ｓ６５）を省略してもよい。例えば、利用者が、部屋を予約し、利用者によって認識される画像の画像データ及び利用時間帯を登録していたとする。表示装置１０２Ｂは、事前に、利用者によって認識される画像の画像データを、表示装置１０２Ｂが有する記憶部４０２Ｂに格納することができるため、表示システム１２は、ステップ６５（Ｓ６５）を実行しなくてもよい。また、表示装置１０２Ｂに表示される部屋番号などの各場所を認識可能な画像の画像データ、ドアまたは門を利用する利用者を直接特定できないような画像の画像データは、前記記憶部４０２Ｂに常に格納しておいてもよい。
【０１１１】
次に、表示装置１０２Ａ、表示装置１０２Ｂ及び表示装置１０２Ｃは、ドアまたは門を利用する利用者を直接特定できないような画像をそれぞれの表示パネルに表示する（ステップ６７（Ｓ６７））。すなわち、表示装置１０２Ａ、表示装置１０２Ｂ及び表示装置１０２Ｃは、それぞれの部屋番号をそれぞれの表示パネルに表示する。
【０１１２】
次に、表示システム１２は、表示装置１０２Ａ、表示装置１０２Ｂ及び表示装置１０２Ｃの各センサ部を介して、表示装置１０２Ａ、表示装置１０２Ｂ及び表示装置１０２Ｃの近くに利用者がいるか否かを検知する（ステップ６９（Ｓ６９））。
【０１１３】
表示装置１０２Ａ、表示装置１０２Ｂ及び表示装置１０２Ｃのうち何れの表示装置も利用者を検知しない場合（ＮＯ）、表示装置１０２Ａ、表示装置１０２Ｂ及び表示装置１０２Ｃは、各部屋の部屋番号を各表示パネル部に表示し続ける。表示装置１０２Ａ、表示装置１０２Ｂ及び表示装置１０２Ｃのうち何れか一つの表示装置が利用者を検知した場合（ＹＥＳ）、利用者を検知した表示装置は、検知された利用者のルームキーとの通信を試みる（ステップ７１（Ｓ７１））。
【０１１４】
検知された利用者のルームキーとの通信が不能であった場合（ＮＧ）、利用者を検知した表示装置は、サーバー６２Ａまたはサーバー６２Ｂに、ルームキーとの通信が不能であることを送信する（ステップ７３（Ｓ７３））。すなわち、利用者を検知した表示装置は、サーバー６２Ａまたはサーバー６２Ｂに、端末が無いことを送信する。このとき、サーバー６２Ａまたはサーバー６２Ｂは、ルームキーとの通信が不能であることを受信し、サーバー６２Ａまたはサーバー６２Ｂは、例えば、ルームキーをホテルのフロントに取りに行くことを利用者に案内してもよい。
【０１１５】
利用者を検知した表示装置が、検知された利用者のルームキーと通信できた場合、利用者を検知した表示装置は、音声案内が必要であるか否かを、利用者に問い合わせる（ステップ７５（Ｓ７５））。音声案内が必要であるか否かの問い合わせは、利用者を検知した表示装置と利用者のルームキーとの通信によって実行されてもよい。
【０１１６】
利用者から、利用者を検知した表示装置に、音声案内が必要である旨の返信があった場合（ＹＥＳ）、表示システム１２は、ステップ７７（Ｓ７７）、ステップ７９（Ｓ７９）及びステップ８１（Ｓ８１）を実行する。一方、利用者から、利用者を検知した表示装置に、音声案内が不要である旨の返信があった場合（ＮＯ）、表示システム１２は、ステップ８３（Ｓ８３）、ステップ８５（Ｓ８５）及びステップ８７（Ｓ８７）を実行する。
【０１１７】
以下において、ステップ７７（Ｓ７７）、ステップ７９（Ｓ７９）及びステップ８１（Ｓ８１）を説明する。
【０１１８】
ステップ７７（Ｓ７７）では、利用者が所持するルームキーに基づき、表示装置１０２Ｂは、部屋番号２２を示す画像を、登録済みである星形のマークの画像に切り替えて、登録済みである星形のマークの画像を表示パネル部に表示する。同時に、表示装置１０２Ｂは、表示装置１０２Ｂの制御部によって表示装置１０２Ｂの音声出力部の機能を有効にし、利用者への問いかけが可能な状態になる。さらに、表示装置１０２Ａは、部屋番号２１を示す画像を、表示装置１０２Ｂへの方向を示す矢印の画像に切り替えて、表示装置１０２Ｂへの方向を示す矢印の画像を表示パネル部５０２Ａに表示する。同時に、表示装置１０２Ａは、表示装置１０２Ａの制御部によって表示装置１０２Ａの音声出力部の機能を有効にし、利用者への問いかけが可能な状態になる。同様にして、表示装置１０２Ｃは、部屋番号２３を示す画像を、表示装置１０２Ｂへの方向を示す矢印の画像に切り替えて、表示装置１０２Ｂへの方向を示す矢印の画像を表示パネル部５０２Ｃに表示し、表示装置１０２Ｃの音声出力部の機能を有効にし、利用者への問いかけが可能な状態になる。
【０１１９】
ここで、利用者の移動に伴い、利用者が所持するルームキーも移動することを利用し、ルームキーはルームキーに最も近い表示装置と通信してもよい。そして、例えば、前記最も近い表示装置は、前記最も近い表示装置の音声出力部から「矢印の方向に向かってください」というような音声案内を利用者に行う。
【０１２０】
表示装置１０２Ｂは、登録済みである星形のマークの画像を表示パネルに表示しているため、利用者は、目視によって、表示装置１０２Ｂを、自分が利用する部屋であると認識することができる。また、表示装置１０２Ｂは、音声出力部から「ここです」というような音声案内を利用者に行うことによって、利用者は音声によって表示装置１０２Ｂが配置された部屋を、自分が利用する部屋であると、認識することができる。なお、利用者が、自分が利用する部屋に到着し、部屋に入室することによって、ルームキーと各表示装置との通信が不能となるようにしてもよい。
【０１２１】
利用者が移動し、ルームキーがルームキーに最も近い表示装置と通信している間は、表示システム１２は、表示装置１０２Ａ、表示装置１０２Ｂ及び表示装置１０２Ｃの各センサ部を介して、表示装置１０２Ａ、表示装置１０２Ｂ及び表示装置１０２Ｃの近くに利用者がいるか否かを検知し続ける（ステップ７９（Ｓ７９））。
【０１２２】
表示装置１０２Ａ、表示装置１０２Ｂ及び表示装置１０２Ｃのうち何れか一つの表示装置が利用者を検知した場合（ＹＥＳ）、表示装置１０２Ａ、表示装置１０２Ｂ及び表示装置１０２Ｃは、ステップ７７（Ｓ７７）を実行する。すなわち、表示装置１０２Ａは、部屋番号２２の方向を示す矢印を表示パネル部５０２Ａに表示する。同様にして、表示装置１０２Ｃは、部屋番号２２の方向を示す矢印を表示パネル部５０２Ｃに表示し、表示装置１０２Ｂは、利用者が認識することができる画像を表示パネル部５０２Ｂに表示する。
【０１２３】
表示装置１０２Ａ、表示装置１０２Ｂ及び表示装置１０２Ｃのうち何れの表示装置も利用者を検知しない場合（ＮＯ）、表示装置１０２Ａ、表示装置１０２Ｂ及び表示装置１０２Ｃは、ステップ８１（Ｓ８１）を実行する。表示装置１０２Ａ、表示装置１０２Ｂ及び表示装置１０２Ｃのうち何れの表示装置も利用者を検知しない場合、利用者は、自分が利用する部屋に部屋に入室することによって、ルームキーと表示装置１０２Ａ、表示装置１０２Ｂ及び表示装置１０２Ｃとの通信が不能となっている。または、表示装置１０２Ａ、表示装置１０２Ｂ及び表示装置１０２Ｃのうち何れの表示装置も利用者を検知しない場合、利用者は、表示システム１２から遠ざかっており、ルームキーと表示装置１０２Ａ、表示装置１０２Ｂ及び表示装置１０２Ｃとの通信が不能となっている。
【０１２４】
ステップ８１（Ｓ８１）では、表示装置１０２Ａ、表示装置１０２Ｂ及び表示装置１０２Ｃのうち何れの表示装置も利用者を検知しない場合、表示装置１０２Ａ、表示装置１０２Ｂ及び表示装置１０２Ｃの各音声機能を停止する。同時に、表示装置１０２Ａは、部屋番号２２の方向を示す矢印の画像を、部屋番号２１を示す画像に切り替えて、部屋番号２１を示す画像を表示パネル部５０２Ａに表示する。同様にして、表示装置１０２Ｂは、登録済みである星形のマークの画像を、部屋番号２２を示す画像に切り替えて、部屋番号２２を示す画像を表示パネル部５０２Ｂに表示し、表示装置１０２Ｃは、部屋番号２２の方向を示す矢印の画像を、部屋番号２３を示す画像に切り替えて、部屋番号２３を示す画像を表示パネル部５０２Ｃに表示する。
【０１２５】
各表示装置が、各表示装置が配置された部屋の部屋番号を各表示パネルに表示すると、表示システム１２の駆動が完了される。
【０１２６】
なお、ステップ８３（Ｓ８３）、ステップ８５（Ｓ８５）、ステップ８７（Ｓ８７）、及び完了は、ステップ７７（Ｓ７７）、ステップ７９（Ｓ７９）、ステップ８１（Ｓ８１）及び完了に対して、音声案内がない場合に相当し、音声案内に関する説明以外は同様である。よって、ステップ８３（Ｓ８３）、ステップ８５（Ｓ８５）及びステップ８７（Ｓ８７）の説明は、ステップ７７（Ｓ７７）、ステップ７９（Ｓ７９）及びステップ８１（Ｓ８１）の説明から音声案内に関する説明を省略することで代用するものとする。
【０１２７】
以上説明したように、本発明の一実施形態に係る表示システムは、利用者が利用する時間帯に、利用者によって認識される画像を利用者が利用する表示装置に表示し、利用者が利用する表示装置を案内する画像を、利用者が利用する表示装置以外の表示装置に表示することができる。また、本発明の一実施形態に係る表示システムは、利用者が利用しない時間帯、または、利用者が表示システムから遠ざかった場合に、各表示装置は、利用者を直接特定することができない画像を表示することができる。また、本発明の一実施形態に係る表示システムは、音声機能によって、利用者が利用する表示装置までの経路案内を、利用者に行うことができる。したがって、本発明の一実施形態に係る表示システムを利用することによって、利用者は、利用者に関する情報の漏洩を抑制し、利用者のプライバシーを保護することができる。
【０１２８】
また、本発明の一実施形態に係る表示システムは、表示機能及び音声機能の二つの機能を用いることによって、利用者の個人情報を漏洩することなく、利用者が利用するドアまたは門までの経路を、利用者に案内することができる。したがって、本発明の一実施形態に係る表示システムを利用することによって、利用者は目視及び聴音によって、利用者が利用するドアまたは門に円滑に到着することができる。
【０１２９】
４．第３実施形態
第３実施形態では、表示システム１２の駆動の例を説明する。具体的には、表示システム１２を利用することによって、利用者を、利用者が行きたい目的地に案内する例を説明する。第２実施形態では、利用者を、利用者が利用する部屋に案内する例を説明したが、実施形態３においては、利用者を利用者が行きたい目的地に案内するという点が実施形態２とは異なる。なお、第１実施形態または第２実施形態と同様の構成に関しては説明を省略することがある。
【０１３０】
図１０乃至図１３を用いて、表示システム１２を利用することによって、利用者を、エレベータに案内する例を説明する。図１０は、第３実施形態に係る表示システム１２の駆動を説明するための表示装置の例を示す図である。図１１及び図１２は、第３実施形態に係る表示システム１２の駆動を説明するための図である。図１３は、第３実施形態に係る表示システム１２の駆動を説明するためのフローチャートを示す図である。
【０１３１】
図１０（Ａ）に示す図は、表示装置１０２Ｂが表示する画像の例を示す図である。表示装置１０２Ｂは部屋番号２２の部屋に配置され、表示装置１０２Ｂは部屋番号２２１の画像を表示パネル部５０２Ｂに表示している。
【０１３２】
図１０（Ｂ）に示す図は、表示装置１０２Ｂが表示する画像の例を示す図である。表示装置１０２Ｂはホテル内の地図８０を表示パネル部５０２Ｂに表示している。第３実施形態で例示するホテルは、２１号室から２８号室までの部屋と、エレベータ５０と、第１階段５２と、第２階段５４とを含む。
【０１３３】
図１１及び図１２に示す図は、図７及び図８に示す図と比較して、部屋番号２１の部屋が省略されている点、エレベータ５０が追加されている点、及び部屋番号２２の部屋がすでに利用されている点が異なる。よって、図１１及び図１２に示す図の説明において、図７及び図８に示す図と同様の説明は、図７及び図８に示す図の説明を代用するものとする。図１１及び図１２に示す図の説明において、図７及び図８に示す図と同様の説明は省略される。
【０１３４】
図１１に示す図は、部屋番号２２の部屋、部屋番号２３の部屋、及びエレベータ５０を示す図である。部屋番号２２の部屋は、利用者によって利用されている部屋である。よって、表示装置１０２Ｂは、利用者が事前に登録済みである星形のマークの画像を表示パネル部５０２Ｂに表示している。部屋番号２３の部屋は、利用されていない部屋である。よって、表示装置１０２Ｃは、部屋番号２３を表示パネル部５０２Ｃに表示している。エレベータ５０の近傍には、二つの表示装置が配置されている。エレベータ５０の近傍の二つの表示装置は、エレベータの上下を示す画像を表示パネルに表示している。なお、エレベータ５０の近傍には、１つの表示装置が配置されていてもよい。
【０１３５】
利用者が部屋番号２２のルームキーを所持し、表示装置１０２Ｂに近づくと、ルームキーと表示装置１０２Ｂとが通信を開始する。ここで、利用者が所持するルームキーが、第１の電子機器２０である。利用者は、ルームキーを介して、表示装置１０２Ｂに、エレベータ５０の場所を問い合わせる。なお、利用者は、表示装置１０２Ｂが備えるタッチ入力機能を用いて、エレベータ５０の場所を問い合わせてもよい。また、利用者は、利用者が所有する携帯情報端末から、エレベータ５０の場所を問い合わせてもよい。ここで、利用者が所有する携帯情報端末が、第２の電子機器３０である。
【０１３６】
ルームキーと表示装置１０２Ｂとが通信を開始すると、図１２に示すように、表示装置１０２Ｂは、利用者が認識することができる星形のマークの画像を、図１０（Ｂ）に示すようなエレベータ５０までの地図８０に切り替えて、地図８０を表示パネル部５００に表示する。また、表示装置１０２Ｃは、部屋番号２３を示す画像をエレベータ５０への方向を示す矢印の画像に切り替えて、エレベータ５０への方向を示す矢印の画像を表示パネル部５０２Ｃに表示する。同様にして、エレベータ５０の近傍の二つの表示装置も、エレベータの上下を示す画像を、エレベータ５０への方向を示す矢印の画像に切り替えて、エレベータ５０を示す矢印の画像を二つの表示装置に表示する。
【０１３７】
具体的には、ルームキーと表示装置１０２Ｂとが通信を開始すると、表示装置１０２Ｂに含まれる通信部が、ルームキーから信号を受信する。例えば、ルームキーから受信した信号に基づき、表示装置１０２Ｂに含まれる制御部３０２Ｂは第１の電気信号を生成する。次に、制御部３０２Ｂは、第１の電気信号に基づき、表示装置１０２Ｂに含まれる記憶部４０２Ｂからプログラムを読み出す。次に、制御部３０２Ｂは、記憶部４０２Ｂから読み出したプログラムに基づき、表示パネル部５０２Ｂを制御する信号を生成し、記憶部４０２Ｂからエレベータ５０までの地図８０の画像データを読み出す。
【０１３８】
続いて、制御部３０２Ｂは、記憶部４０２Ｂから読み出したプログラムに基づき、表示パネル部５０２Ｂを制御する信号、及び、エレベータ５０までの地図８０の画像データを、表示パネル部５０２Ｂに転送する。そして、表示パネル部５０２Ｂを制御する信号及びエレベータ５０までの地図８０の画像データに基づき、表示パネル部５０２Ｂは、利用者が認識することができる星形のマークの画像を地図８０に切り替えて、地図８０を表示する。
【０１３９】
また、ルームキーと表示装置１０２Ｂとが通信を開始すると、表示装置１０２Ｂは、エレベータ５０の場所の問い合わせがあったことを示す第２の電気信号を、サーバー６２Ａまたはサーバー６２Ｂに転送する。次に、サーバー６２Ａまたはサーバー６２Ｂは、第２の電気信号に基づき、エレベータ５０への経路を案内するという第３の電気信号を、表示装置１０２Ｃに転送する。第３の電気信号に基づき、表示装置１０２Ｃに含まれる制御部３０２Ｃは、表示装置１０２Ｃに含まれる記憶部４０２Ｃからプログラムを読み出す。次に、制御部３０２Ｃは、記憶部４０２Ｃから読み出したプログラムに基づき、表示パネル部５０２Ｃを制御する信号を生成し、記憶部４０２Ｃからエレベータ５０への方向を示す矢印の画像の画像データを読み出す。
【０１４０】
続いて、制御部３０２Ｃは、記憶部４０２Ｃから読み出したプログラムに基づき、表示パネル部５０２Ｃを制御する信号、及び、エレベータ５０への方向を示す矢印の画像の画像データを、表示パネル部５０２Ｃに転送する。そして、表示パネル部５０２Ｃを制御する信号、及び、エレベータ５０への方向を示す矢印の画像の画像データに基づき、表示パネル部５０２Ｃは、部屋番号２３を示す画像を、エレベータ５０への方向を示す矢印の画像に切り替えて、エレベータ５０への方向を示す矢印の画像を表示する。
【０１４１】
なお、同様にして、エレベータ５０の近傍の二つの表示装置も、エレベータの上下を示す画像を、エレベータ５０への方向を示す矢印の画像に切り替えて、エレベータ５０を示す矢印の画像を二つの表示装置に表示する。
【０１４２】
第１の電気信号、第２の電気信号及び第３の電気信号に基づき、表示装置１０２Ｂ、サーバー６２Ａまたはサーバー６２Ｂ、及び表示装置１０２Ｃが連動することによって、表示システム１２は、目的地までの経路を、利用者に、より円滑に案内することができる。なお、第１の電気信号、第２の電気信号、または、第３の電気信号に基づき、表示装置１０２Ｂは、地図８０を表示パネル部５００に表示することができる。よって、第１の電気信号、第２の電気信号、または、第３の電気信号は、それぞれをトリガー信号と言い換えてもよい。また、地図８０は、第１の電気信号、第２の電気信号、または、第３の電気信号に基づき、表示パネル部５００に表示されるため、トリガー信号に関連付けられた場所への経路を案内する画像と言い換えてもよい。また、地図８０の画像データは、トリガー信号に関連付けられた場所への経路を案内する画像の画像データと言い換えてもよい。
【０１４３】
利用者は、各表示装置の画像を見ながら移動し、エレベータ５０に移動することができる。各表示装置は、利用者が所有するルームキーと通信し、連動することによって、利用者に経路を案内することができる。
【０１４４】
なお、利用者がエレベータ５０に到達するまで、表示装置１０２Ｂは、地図８０を表示パネル部５００に表示し、表示装置１０２Ｃは、エレベータ５０を示す矢印の画像を表示パネル部５０２Ｃに表示し、エレベータ５０の近傍の二つの表示装置も、エレベータ５０を示す矢印の画像を二つの表示装置に表示する。利用者がエレベータ５０に到達のち、利用者が利用する部屋の表示装置１０２Ｂは、地図８０を、利用者が認識することができる星形のマークの画像に切り替えて、星形のマークの画像を表示パネル部５０２Ｂに表示してもよい。また、利用者がエレベータ５０に到達のち、部屋番号２２の方向を示す矢印の画像を各部屋の部屋番号を示す画像に切り替えて、各部屋の部屋番号を表示パネルに表示してもよい。利用者がエレベータ５０に到達のち、全ての部屋の表示装置は、音声機能を停止してもよい。
【０１４５】
表示装置が音声機能を停止したのち、エレベータ５０の方向を示す矢印の画像を各部屋の部屋番号を示す画像に切り替えて、各部屋の部屋番号を表示パネルに表示してもよい。各表示装置は、利用者が所有するルームキーと通信し、連動することによって、表示機能及び音声機能の二つの機能によって、利用者が行きたい目的地までの経路を案内することができる。
【０１４６】
図１１及び図１２を用いて説明した表示システム１２の駆動を、図１３のフローチャート用いて説明する。
【０１４７】
開始、ステップ１０１（Ｓ１０１）、ステップ１０３（Ｓ１０３）、ステップ１０５（Ｓ１０５）、ステップ１０７（Ｓ１０７）、ステップ１０９（Ｓ１０９）、ステップ１１１（Ｓ１１１）、ステップ１１３（Ｓ１１３）、ステップ１１５（Ｓ１１５）、ステップ１２１（Ｓ１２１）、ステップ１２７（Ｓ１２７）及び完了は、それぞれが図９に示される開始、ステップ６１（Ｓ６１）、ステップ６３（Ｓ６３）、ステップ６５（Ｓ６５）、ステップ６７（Ｓ６７）、ステップ６９（Ｓ６９）、ステップ７１（Ｓ７１）、ステップ７３（Ｓ７３）、ステップ７５（Ｓ７５）、ステップ８１（Ｓ８１）、ステップ８７（Ｓ８７）及び完了と同様であるから、ここでの説明は省略される。
【０１４８】
以下において、ステップ１１７（Ｓ１１７）及びステップ１１９（Ｓ１１９）を説明する。
【０１４９】
ステップ１１７（Ｓ１１７）では、ルームキーの部屋番号２２の表示装置１０２Ｂは、利用者が認識することができる星形のマークの画像を、エレベータ５０までの地図８０に切り替えて、地図８０を表示パネル部５０２Ｂに表示する。同時に、表示装置１０２Ｂは、表示装置１０２Ｂの制御部によって表示装置１０２Ｂの音声出力部の機能を有効にし、利用者への問いかけが可能な状態になる。さらに、表示装置１０２Ｃは、部屋番号２３を示す画像を、目的地への方向を示す矢印の画像に切り替えて、前記矢印を表示パネル部５０２Ｂに表示する。同時に、表示装置１０２Ｃは、表示装置１０２Ｃの制御部によって表示装置１０２Ｃの音声出力部の機能を有効にし、利用者への問いかけが可能な状態になる。同様にして、ルームキーの部屋番号の表示装置以外の表示装置は、部屋番号を示す画像を、目的地への方向を示す矢印の画像に切り替えて、前記矢印を表示パネルに表示する。同時に、ルームキーの部屋番号の表示装置以外の表示装置は、各表示装置の制御部によって各音声出力部の機能を有効にし、利用者への問いかけが可能な状態になる。
【０１５０】
ここで、利用者の移動に伴い、利用者が所持するルームキーも移動することを利用し、ルームキーはルームキーに最も近い表示装置と通信してもよい。そして、例えば、前記最も近い表示装置は、前記最も近い表示装置の音声出力部から「矢印の方向に向かってください」というような音声案内を利用者に行う。
【０１５１】
表示装置１０２Ｂは、地図８０を表示パネルに表示しているため、利用者は目視によって目的地であるエレベータの場所を認識することができる。また、エレベータの近傍に配置されている表示装置は、エレベータの近傍に配置されている表示装置の音声出力部から「ここです」というような音声案内を利用者に行うことによって、利用者は音声によってエレベータを認識することができる。そして、利用者が、エレベータに到着することによって、ルームキーと各表示装置との通信が不能となる。
【０１５２】
利用者が移動し、ルームキーがルームキーに最も近い表示装置と通信している間は、表示システム１２は、各表示装置の各センサ部を介して、利用者が目的地に到達したか否かを検知し続ける（ステップ１１９（Ｓ１１９））。
【０１５３】
各表示装置のうち何れか一つの表示装置が利用者を検知した場合（ＹＥＳ）、各表示装置は、ステップ１１７（Ｓ１１７）を実行する。すなわち、表示装置１０２Ｂは、地図８０を表示パネル部５００に表示し、表示装置１０２Ｃは、エレベータ５０を示す矢印の画像を表示パネル部５０２Ｃに表示し、エレベータ５０の近傍の二つの表示装置も、エレベータ５０を示す矢印の画像を二つの表示装置に表示する。
【０１５４】
各表示装置のうち何れの表示装置も利用者を検知しない場合（ＮＯ）、各表示装置は、ステップ１２１（Ｓ１２１）を実行する。
【０１５５】
なお、ステップ１２３（Ｓ１２３）及びステップ１２５（Ｓ１２５）は、ステップ１１７（Ｓ１１７）及びステップ１１９（Ｓ１１９）に対して、音声案内がない場合に相当し、音声案内に関する説明以外は同様である。よって、ステップ１２３（Ｓ１２３）及びステップ１２５（Ｓ１２５）の説明は、１１７（Ｓ１１７）及びステップ１１９（Ｓ１１９）の説明から音声案内に関する説明を省略することで代用するものとする。
【０１５６】
以上説明したように、本発明の一実施形態に係る表示システムは、表示機能及び音声機能の二つの機能を用いることによって、利用者の個人情報を漏洩することなく、目的地までの経路を、利用者に案内することができる。したがって、本発明の一実施形態に係る表示システムを利用することによって、利用者は目視及び聴音によって、目的地に円滑に到着することができる。
【０１５７】
５．第４実施形態
第４実施形態では、表示システム１２の駆動の例を説明する。具体的には、表示システム１２を利用することによって、非常事態が発生した場合の避難経路を案内する例を説明する。なお、第１実施形態乃至第３実施形態と同様の構成に関しては説明を省略することがある。
【０１５８】
図１４乃至図２０を用いて、表示システム１２を利用することによって、非常事態が発生した場合に、避難経路を利用者に案内する例を説明する。図１４乃至図１９は、第４実施形態に係る表示システムの駆動を説明するための図である。図２０は、第４実施形態に係る表示システムの駆動を説明するためのフローチャートを示す図である。
【０１５９】
図１４（Ａ）に示す図は、表示装置１００が表示する画像の例を示す図である。表示装置１００は避難経路を示されたホテル内の地図８２の画像を表示パネル部５００に表示している。図１４（Ａ）に示す地図８２は、第２階段までの避難経路を示す図である。図１４（Ｂ）に示す図は、図１４（Ａ）に示す避難経路が更新され、表示装置１００は更新された避難経路を示されたホテル内の地図８４の画像を表示パネル部５００に表示している。図１４（Ｂ）に示す地図８４は、第２階段までの避難経路を示す図である。
【０１６０】
図１５に示すように、ホテルは、部屋番号２６の部屋、部屋番号２７の部屋及び第２階段を含む。部屋番号２６の部屋のドア４２Ｅの近傍には、表示装置１０２Ｅが配置されている。部屋番号２７の部屋のドア４２Ｄの近傍には、表示装置１０２Ｄが配置されている。第２階段のドア４２Ｆの近傍には、表示装置１０２Ｆが配置されている。なお、図１５に示される図は、非常事態が発生していないときにおける、表示システム１２を示している。
【０１６１】
よって、各部屋の表示装置１００は、利用者を直接特定できないような画像を、各部屋の表示パネル部５００に表示している。具体的には、表示装置１０２Ｄは、部屋番号２７を表示パネル部５０２Ｄに表示している。表示装置１０２Ｅは、部屋番号２６を表示パネル部５０２Ｅに表示している。表示装置１０２Ｆは、第２階段を示す画像を表示パネル部５０２Ｆに表示している。
【０１６２】
また、図１６に示すように、ホテルは、部屋番号２４の部屋、部屋番号２５の部屋及び第１階段を含む。部屋番号２４の部屋のドア４２Ｇの近傍には、表示装置１０２Ｇが配置されている。部屋番号２５の部屋のドア４２Ｈの近傍には、表示装置１０２Ｈが配置されている。第１階段のドア４２Ｊの近傍には、表示装置１０２Ｊが配置されている。なお、図１６に示される図は、非常事態が発生していないときにおける、表示システム１２を示している。
【０１６３】
よって、各部屋の表示装置１００は、利用者を直接特定できないような画像を、各部屋の表示パネル部５００に表示している。具体的には、表示装置１０２Ｇは、部屋番号２４を表示パネル部５０２Ｇに表示している。表示装置１０２Ｈは、部屋番号２５を表示パネル部５０２Ｈに表示している。表示装置１０２Ｊは、第１階段を示す画像を表示パネル部５０２Ｊに表示している。
【０１６４】
非常事態が発生した場合、避難場所以外に配置された表示装置が表示する画像は、図１４（Ａ）に示されるような避難経路を示す地図８２の画像に切り替わる。避難場所に配置された表示装置が表示する画像は、例えば、「第２階段」のように、避難場所を認識可能な画像を表示する。同時に、表示システム１２に含まれるすべての表示装置は、各表示装置が有する音声機能を起動し、避難場所までの避難経路を利用者に案内する。なお、音声機能の起動は、第１実施形態で説明した方法と同様の方法を用いてもよい。また、音声機能の起動は、第２実施形態のＳ７７（ステップ７７）で説明した方法と同様の方法を用いてもよい。また、表示システム１２に含まれる一部の表示装置の音声機能を起動してもよい。具体的には、一部屋おきに表示装置の音声機能を起動してもよい。
【０１６５】
また、非常事態が発生した場合、図１７に示すように、各表示装置は、各表示パネルに表示される画像を更新してもよい。具体的には、表示装置１０２Ｄは、部屋番号２７を示す画像を第２階段の方向を示す矢印の画像に切り替えて、第２階段の方向を示す矢印の画像を表示パネル部５０２Ｄに表示する。同様にして、表示装置１０２Ｅは、部屋番号２６を示す画像を第２階段の方向を示す矢印の画像に切り替えて、第２階段の方向を示す矢印を表示パネル部５０２Ｅに表示する。表示装置１０２Ｆは、第２階段を示す画像を、「第２階段ここ」というような画像に切り替えて、「第２階段ここ」というような画像を表示パネル部５０２Ｆに表示する。
【０１６６】
また、非常事態が発生した場合、図１８に示すように、各表示装置は、各表示パネルに表示される画像を更新してもよい。非常事態とは、例えば、火災、地震、漏水、浸水、または発煙はどの災害が挙げられる。具体的には、表示装置１０２Ｇは、部屋番号２４を示す画像を第２階段の方向を示す矢印の画像に切り替えて、第２階段の方向を示す矢印の画像を表示パネル部５０２Ｇに表示する。同様にして、表示装置１０２Ｈは、部屋番号２５を示す画像を第２階段の方向を示す矢印の画像に切り替えて、第２階段の方向を示す矢印を表示パネル部５０２Ｈに表示する。表示装置１０２Ｊは、第１階段を示す画像を第２階段の方向を示す矢印の画像に切り替えて、第２階段の方向を示す矢印の画像を表示パネル部５０２Ｊに表示する。
【０１６７】
非常事態が発生したとき、例えば、ホテルに備えられた警報器（図示は省略）が鳴った場合、警報器は警報器の音を第４の電気信号に変換し、第４の電気信号をサーバー６２Ａまたはサーバー６２Ｂに転送する。例えば、ホテルに備えられた警報器（図示は省略）は、災害を検知したことに基づき生成された第４の電気信号を、サーバー６２Ａまたはサーバー６２Ｂに転送する。次に、サーバー６２Ａまたはサーバー６２Ｂが、第４の電気信号に基づき、第２階段までの避難経路を案内する地図８２の画像の画像データを、表示システム１２のうちの全ての表示装置に転送する。次に、表示システム１２のうちの全ての表示装置は、地図８２を、各表示パネル部に表示する。なお、サーバー６２Ａまたはサーバー６２Ｂは、第４の電気信号に基づき、第２階段までの避難経路を案内する地図８２の画像の画像データを、表示システム１２に含まれる一部の表示装置に転送してもよい。具体的には、第２階段までの避難経路を案内する地図８２の画像の画像データを、一部屋おきの表示装置に転送してもよい。
【０１６８】
なお、第４の電気信号が、サーバー６２Ａまたはサーバー６２Ｂに転送されることに基づき、表示システム１２のうちの全ての表示装置は、第２階段までの避難経路を案内する画像を各表示パネル部に表示することができる。よって、第４の電気信号はトリガー信号と言い換えてもよい。また、第２階段までの避難経路を案内する画像は、第４の電気信号に基づき、各表示パネル部に表示されるため、トリガー信号に関連付けられた場所への経路を案内する画像と言い換えてもよい。また、第２階段までの避難経路を案内する画像の画像データは、トリガー信号に関連付けられた場所への経路を案内する画像の画像データと言い換えてもよい。
【０１６９】
ここで、非常事態が発生し、逃げ遅れた人を発見した場合について説明する。避難する人はルームキーまたは携帯情報端末を用いて、表示装置と通信する。例えば、災害を検知したことに基づき、避難する人は、ルームキーまたは携帯情報端末を用いて、ルームキーまたは携帯情報端末の固有の識別情報、及び、避難する人は逃げ遅れた人がいるという情報を表示装置に送信する。そして、表示装置は消防署または警察署に通報する。なお、表示装置はサーバーに逃げ遅れた人がいることを送信し、サーバーが消防署または警察署に通報してもよい。また、逃げ遅れた人が、逃げ遅れたことを、表示装置またはサーバーに送信し、表示装置またはサーバーが消防署または警察署に通報してもよい。
【０１７０】
また、逃げ遅れた人に近い表示装置に含まれる制御部は、ルームキーまたは携帯情報端末の固有の識別情報、及び、避難する人は逃げ遅れた人がいることという情報に基づき、逃げ遅れた人に近い表示装置に含まれる記憶部からプログラムを読み出す。次に、前記制御部は、前記記憶部から読み出したプログラムに基づき、救急であることを示す画像と、避難経路を示す地図８２の画像とを交互に表示パネルに表示する。例えば、逃げ遅れた人に近い表示装置は、「救助ここ」のような画像と、地図８２の画像とを交互に表示パネルに表示する。同時に、逃げ遅れた人に近い表示装置以外の表示装置は、逃げ遅れた人に近い表示装置までの経路案内を示す画像と、避難経路を示す地図８２の画像とを交互に表示パネルに表示する。例えば、逃げ遅れた人に近い表示装置以外の表示装置は、逃げ遅れた人に近い表示装置への方向を示す矢印と、地図８２の画像とを交互に表示パネルに表示する。同時に、全ての表示装置は、音声機能によって消防隊または救急隊を案内する。
【０１７１】
よって、ルームキーまたは携帯情報端末の固有の識別情報、及び、避難する人は逃げ遅れた人がいるという情報が、ルームキーまたは携帯情報端末から表示装置に転送されることに基づき、逃げ遅れた人に近い表示装置は、救急であることを示す画像と、避難経路を示す地図８２の画像とを交互に表示パネルに表示することができる。よって、ルームキーまたは携帯情報端末の固有の識別情報、及び、避難する人は逃げ遅れた人がいるという情報はトリガー信号と言い換えてもよい。また、救急であることを示す画像、及び、避難経路を示す地図８２の画像とは、トリガー信号に基づき、各表示パネル部に表示されるため、トリガー信号に関連付けられた場所への経路を案内する画像と言い換えてもよい。また、救急であることを示す画像、及び、避難経路を示す地図８２の画像の画像データは、トリガー信号に関連付けられた場所への経路を案内する画像の画像データと言い換えてもよい。
【０１７２】
また、逃げ遅れた人が救助されるまで、逃げ遅れた人に近い表示装置以外の表示装置は、逃げ遅れた人に近い表示装置への方向を示す矢印と、地図８２の画像とを交互に表示パネルに表示し続けてもよい。また、全ての表示装置は、音声機能によって消防隊または救急隊を案内し続けてもよい。
【０１７３】
また、逃げ遅れた人が救助され、逃げ遅れた人以外の人の避難も完了したとき、表示システム１２は非常事態を解除する。発生した非常事態が収束した時に、表示システム１２は非常事態を解除するようにしてもよい。さらに、表示システム１２は、全ての表示装置の音声機能を停止する。同時に、各表示装置は、各表示装置が配置されている場所を特定可能な画像を、各表示装置の表示パネルに表示する。具体的には、各表示装置は、各表示装置が配置されている部屋の部屋番号を示す画像を、各表示装置の表示パネルに表示する。なお、音声機能の停止は、第１実施形態で説明した方法と同様の方法を用いてもよい。また、音声機能の停止は、第２実施形態のＳ８１（ステップ８１）で説明した方法と同様の方法を用いてもよい。
【０１７４】
各表示装置が、各表示装置が配置された部屋の部屋番号を各表示パネルに表示すると、逃げ遅れた人を発見した場合の表示システム１２の駆動が完了される。
【０１７５】
次に、非常事態が発生し、逃げ遅れた人を発見しない場合について説明する。利用者の移動に伴い、利用者が所持するルームキーも移動することを利用し、ルームキーはルームキーに最も近い表示装置と通信する。そして、例えば、前記最も近い表示装置は、音声出力部から「矢印の方向に向かってください」というような音声案内を利用者に行う。
【０１７６】
避難経路は、利用者の移動に伴い、更新される。例えば、利用者の移動に伴い、利用者が所持するルームキーも移動することを利用し、ルームキーはルームキーに最も近い表示装置と通信する。ルームキーに最も近い表示装置またはサーバーは、ルームキーの位置を把握することができる。よって、ルームキーに最も近い表示装置またはサーバーは、利用者に最適な避難経路を案内することができる。
【０１７７】
具体的には、ルームキーに最も近い表示装置は、表示パネルに表示されている第２階段の方向を示す矢印を示す画像を、図１４（Ｂ）に示されるような避難経路を示す地図８４の画像に切り替えて、地図８４の画像を表示パネルに表示する。同時に、図１９に示すように、各表示装置は、各表示パネルに表示される画像を更新する。具体的には、表示装置１０２Ｊは、第２階段の方向を示す矢印の画像を、「第１階段ここ」というような画像に切り替えて、「第１階段ここ」というような画像を表示パネル部５０２Ｊに表示する。
【０１７８】
すなわち、ルームキーに最も近い表示装置またはサーバーは、ルームキーの位置を把握することによって、第２階段よりも第１階段の方が利用者に近いと判断し、地図８２の画像を地図８４の画像に更新する。したがって、利用者は、最適な避難経路を案内され、避難することができる。
【０１７９】
避難経路の更新は、全ての人の避難が完了するまで、随時続けられる。また、音声案内も、全ての人の避難が完了するまで、随時続けられる。避難が完了したら、表示システム１２は非常事態を解除する。さらに、表示システム１２は、全ての表示装置の音声機能を停止する。同時に、各表示装置は、各表示装置が配置されている場所を特定可能な画像を、各表示装置の表示パネルに表示する。具体的には、各表示装置は、各表示装置が配置されている部屋の部屋番号を示す画像を、各表示装置の表示パネルに表示する。
【０１８０】
各表示装置が、各表示装置が配置された部屋の部屋番号を各表示パネルに表示すると、逃げ遅れた人を発見しない場合の表示システム１２の駆動が完了される。
【０１８１】
図１４乃至図１９を用いて説明した表示システム１２の駆動を、図２０のフローチャート用いて説明する。
【０１８２】
開始、ステップ１６１（Ｓ１６１）、ステップ１６３（Ｓ１６３）、ステップ１６５（Ｓ１６５）、ステップ１６７（Ｓ１６７）及び完了は、それぞれが図９に示される開始、ステップ６１（Ｓ６１）、ステップ６３（Ｓ６３）、ステップ６５（Ｓ６５）、ステップ６７（Ｓ６７）及び完了と同様であるから、ここでの説明は省略される。
【０１８３】
以下において、ステップ１６９（Ｓ１６９）、ステップ１７１（Ｓ１７１）、ステップ１７３（Ｓ１７３）、ステップ１７５（Ｓ１７５）、ステップ１７７（Ｓ１７７）、ステップ１７９（Ｓ１７９）、ステップ１８１（Ｓ１８１）、ステップ１８３（Ｓ１８３）、ステップ１８５（Ｓ１８５）及びステップ１８７（Ｓ１８７）を説明する。
【０１８４】
表示システム１２は、非常事態が発生したか否かを判定する（ステップ１６９（Ｓ１６９））。ここで、前記判定は、サーバー６０または制御部３００によって実行されてもよい。例えば、前記判定は、サーバー６０によって実行されるとする。
【０１８５】
サーバー６０が、非常事態は発生していない（ＮＯ）、すなわち、非常事態は発生していないと判定した場合、各表示装置は、各表示装置を認識することができる画像を表示パネル部５００に表示する。例えば、各表示装置は各表示装置が配置されている部屋の部屋番号を表示パネルに表示し続ける。
【０１８６】
サーバー６０が、非常事態が発生した（ＹＥＳ）、すなわち、非常事態が発生と判定した場合、避難場所以外に配置された表示装置は、表示している画像を、避難経路を示す地図８２の画像に切り替えて、地図８２の画像を表示パネルに表示し、避難場所に配置された表示装置は、例えば、「第２階段」のように、避難場所を認識可能な画像を表示パネルに表示する（ステップ１７１（Ｓ１７１））。同時に、各表示装置は、音声機能を起動し、避難経路を表示システム１２の利用者に案内する。すなわち、サーバー６０が、非常事態が発生したと判定するまで、各表示装置は、各表示装置を認識することができる画像を表示パネルに表示し続ける。サーバー６０が、非常事態が発生したと判定したのち、避難場所以外に配置された表示装置は、避難経路を示す地図８２の画像を表示パネルに表示し、避難場所に配置された表示装置は、「第２階段」のように、避難場所を認識可能な画像を表示パネルに表示する。
【０１８７】
次に、非常事態が発生し、逃げ遅れた人を確認する（ステップ１７３（Ｓ１７３））。避難する人が、逃げ遅れた人を発見した場合（ＹＥＳ）について説明する。
【０１８８】
避難する人は逃げ遅れた人を発見した場合（ＹＥＳ）、ルームキーまたは携帯情報端末を用いて表示装置と通信し、避難する人は逃げ遅れた人がいることを表示装置に送信し、表示装置は消防署または警察署に通報する（ステップ１７５（Ｓ１７５））。なお、上述したように、表示装置はサーバーに逃げ遅れた人がいることを送信し、サーバーが消防署または警察署に通報してもよい。また、逃げ遅れた人が、逃げ遅れたことを、表示装置またはサーバーに送信し、表示装置またはサーバーが消防署または警察署に通報してもよい。
【０１８９】
表示システム１２は、ステップ１７５（Ｓ１７５）の実行のちに、ステップ１７７（Ｓ１７７）を実行する。ステップ１７７（Ｓ１７７）では、逃げ遅れた人に近い表示装置が、「救助ここ」のような画像と、地図８２の画像とを交互に表示パネルに表示する。逃げ遅れた人に近い表示装置以外の表示装置は、逃げ遅れた人に近い表示装置までの経路案内を示す画像と、避難経路を示す地図８２の画像とを交互に表示パネルに表示する。また、全ての表示装置は、音声機能によって消防隊または救急隊を案内し続ける。
【０１９０】
次に、表示システム１２は逃げ遅れた人が救助されたか否かということ、及び、逃げ遅れた人以外の人の避難も完了したか否かということ、を確認する（ステップ１７９（Ｓ１７９））。逃げ遅れた人が救助され、かつ、逃げ遅れた人以外の人の避難も完了したとき（ＹＥＳ）、表示システム１２は（ステップ１８１（Ｓ１８１）を実行する。ステップ１８１（Ｓ１８１）では、表示システム１２は非常事態を解除し、全ての表示装置の音声機能を停止する。同時に、各表示装置は、各表示装置が配置されている場所を特定可能な画像を、各表示装置の表示パネルに表示する。
【０１９１】
逃げ遅れた人が救助されていないとき、または、逃げ遅れた人以外の人の避難も完了していないとき（ＮＯ）、表示システム１２はステップ１７７（Ｓ１７７）を実行する。すなわち、表示システム１２は逃げ遅れた人が救助され、かつ、逃げ遅れた人以外の人の避難も完了するまで、ステップ１７７（Ｓ１７７）を繰り返し実行する。
【０１９２】
各表示装置が、各表示装置が配置されている場所を特定可能な画像を各表示パネルに表示すると、逃げ遅れた人を発見した場合の表示システム１２の駆動が完了される。
【０１９３】
次に、非常事態が発生し、避難する人が逃げ遅れた人を発見しなかった場合（ＮＯ）について説明する。表示システム１２は、避難経路を更新し、更新された避難経路を音声機能によって避難する人に案内する（ステップ１８３（Ｓ１８３））。例えば、各表示装置は、地図８２の画像を、第１階段への避難経路を示す地図８４の画像に切り替えて、地図８４の画像を各表示パネルに表示する。また、各表示装置が有する音声出力部は、「避難経路が第１階段に変更されました」というように、避難する人に案内する。
【０１９４】
次に、表示システム１２は、避難が完了したか否かを判定する（ステップ１８５（Ｓ１８５））。前記判定は、ステップ１６９（Ｓ１６９）と同様に、サーバー６０または制御部３００によって実行されてもよい。例えば、前記判定は、サーバー６０によって実行されるとする。
【０１９５】
サーバー６０が、避難が完了していない（ＮＯ）、すなわち、避難が完了していないと判定した場合、表示システム１２は、避難経路を更新し、更新された避難経路を音声機能によって避難する人に案内する（ステップ１８３（Ｓ１８３））。サーバー６０が、避難が完了した（ＹＥＳ）、すなわち、避難が完了したと判定した場合、表示システム１２は、ステップ１８７（Ｓ１８３）を実行する。
【０１９６】
すなわち、避難経路の更新は、避難する人の避難が完了するまで、随時続けられる。また、音声案内も、避難する人の避難が完了するまで、随時続けられる。
【０１９７】
ステップ１８７（Ｓ１８３）では、表示システム１２は非常事態を解除し、全ての表示装置の音声機能を停止する。同時に、各表示装置は、各表示装置が配置されている場所を特定可能な画像を、各表示装置の表示パネルに表示する。
【０１９８】
各表示装置が、各表示装置が配置された部屋の部屋番号を各表示パネルに表示すると、逃げ遅れた人を発見しなかった場合の表示システム１２の駆動が完了される。
【０１９９】
以上説明したように、本発明の一実施形態に係る表示システムは、表示機能及び音声機能の二つの機能を用いることによって、利用者の個人情報を漏洩することなく、避難経路を、利用者に案内することができる。したがって、本発明の一実施形態に係る表示システムを利用することによって、利用者は、迅速に非難することができる。また、本発明の一実施形態に係る表示システムを利用することによって、消防または救急の通報を実行し、消防隊または救急隊への経路案内を実行することができる。
【０２００】
本発明の実施形態として上述した各実施形態は、相互に矛盾しない限りにおいて、適宜組み合わせて実施することができる。
【０２０１】
上述した各実施形態の態様によりもたらされる作用効果とは異なる別の作用効果であっても、本明細書の記載から明らかなもの、または、当業者において容易に予測し得るものについては、当然に本発明によりもたらされるものと解される。
【符号の説明】
【０２０２】
１０、１２・・・表示システム、２０・・・第１の電子機器、３０・・・第２の電子機器、４０、４２Ａ，４２Ｂ、４２Ｃ、４２Ｄ、４２Ｅ、４２Ｆ、４２Ｇ、４２Ｈ、４２Ｊ・・・ドア、４４・・・門、４６・・・門柱、４８・・・郵便受け、５０・・・エレベータ、５２・・・第１階段、５４・・・第２階段、６０、６２Ａ、６２Ｂ・・・サーバー、７０・・・外部電源、８０、８２、８４・・・地図、１００、１０２Ａ、１０２Ｂ、１０２Ｃ、１０２Ｄ、１０２Ｅ、１０２Ｆ、１０２Ｇ、１０２Ｈ、１０２Ｊ・・・表示装置、１５０・・・ネットワーク、２００・・・通信部、３００・・・制御部、４００・・・記憶部、５００、５０２Ａ、５０２Ｂ、５０２Ｃ、５０２Ｄ、５０２Ｅ、５０２Ｆ、５０２Ｇ、５０２Ｈ、５０２Ｊ・・・表示パネル部、５０２・・・画素、５０４・・・表示領域、５０６・・・映像信号線駆動回路、５０８・・・走査信号線駆動回路、５１０・・・走査信号線駆動回路、５１２・・・表示パネル制御回路、５１４・・・基板、６００・・・センサ部、７００・・・音声入力部、８００・・・音声出力部、９００・・・撮像部、１０００・・・太陽電池部、１１００・・・電源部
【図１】
2020091541.tif 000003
【図２】
2020091541.tif 000004
【図３】
2020091541.tif 000005
【図４】
2020091541.tif 000006
【図５】
2020091541.tif 000007
【図６】
2020091541.tif 000008
【図７】
2020091541.tif 000009
【図８】
2020091541.tif 000010
【図９】
2020091541.tif 000011
【図１０】
2020091541.tif 000012
【図１１】
2020091541.tif 000013
【図１２】
2020091541.tif 000014
【図１３】
2020091541.tif 000015
【図１４】
2020091541.tif 000016
【図１５】
2020091541.tif 000017
【図１６】
2020091541.tif 000018
【図１７】
2020091541.tif 000019
【図１８】
2020091541.tif 000020
【図１９】
2020091541.tif 000021
【図２０】
2020091541.tif 000022